(57)【要約】  時間的な制約を受けずに、装着対象または周囲の環境の少なくともいずれかの状態を検出する。  少なくとも１つ以上の発電装置による発電に基づく発電信号を取得する発電信号取得部と、前記発電信号に基づいて、前記発電装置の周囲の環境、または前記発電装置を装着した装着対象の少なくともいずれかの状態を判断する判断部と、を備える、情報処理装置。
2016080183.tif 000002
【特許請求の範囲】
【請求項１】
少なくとも１つ以上の発電装置による発電に基づく発電信号を取得する発電信号取得部と、  前記発電信号に基づいて、前記発電装置の周囲の環境、または前記発電装置を装着した装着対象の少なくともいずれかの状態を判断する判断部と、を備える、情報処理装置。
【請求項２】
前記発電信号は、前記発電装置によって発電された電力が閾値を超えたか否かに関する情報を含む、請求項１に記載の情報処理装置。
【請求項３】
前記発電信号は、前記発電装置によって発電された電力が閾値を超えた場合に生成され、  前記判断部は、前記発電信号の生成間隔に基づいて、前記発電装置の周囲の環境、または前記発電装置を装着した装着対象の少なくともいずれかの状態を判断する、請求項２に記載の情報処理装置。
【請求項４】
前記判断部の判断に基づいて、前記装着対象への対応に関する情報を出力する出力部をさらに備える、請求項１に記載の情報処理装置。
【請求項５】
少なくとも１つ以上の発電装置を備えるモニタリング機器と、  前記発電装置による発電に基づく発電信号を取得する発電信号取得部、前記発電信号に基づいて、前記モニタリング機器の周囲の環境、または前記モニタリング機器を装着した装着対象の少なくともいずれかの状態を判断する判断部、を備える情報処理装置と、を含む情報処理システム。
【請求項６】
前記モニタリング機器は、発電に基づく発電信号を個別に記憶する記憶装置をさらに備える、請求項５に記載の情報処理システム。
【請求項７】
前記記憶装置は、時分割または割り込み処理によって、記憶領域を前記発電装置の各々にて共有する、請求項６に記載の情報処理システム。
【請求項８】
前記モニタリング機器は、複数の発電装置を備え、  前記モニタリング機器は、発電に基づく発電信号を前記複数の発電装置ごとに記憶する記憶装置をさらに備える、請求項５に記載の情報処理システム。
【請求項９】
前記記憶装置は、時分割または割り込み処理によって、記憶領域を前記複数の発電装置にて共有する、請求項８に記載の情報処理システム。
【請求項１０】
前記発電装置は、発電した電力を少なくとも前記モニタリング機器に供給する、請求項５に記載の情報処理システム。
【請求項１１】
前記情報処理システムは、前記発電装置によって発電された電力に基づいて駆動するスイッチ回路、前記スイッチ回路によって生成された発電信号を記憶する記憶装置、前記記憶装置に記憶された前記発電信号を出力する外部出力装置、前記発電信号を信号処理する演算装置を備える、請求項５に記載の情報処理システム。
【請求項１２】
前記発電装置は、振動発電装置、運動発電装置、太陽光発電装置、熱電変換発電装置、酵素発電装置、電波発電装置、および近傍電磁界発電装置を含む発電装置、または磁界共鳴もしくは電磁誘導による電力伝送装置のいずれかまたは２以上の組み合わせである、請求項５に記載の情報処理システム。
【請求項１３】
前記モニタリング機器は、前記発電装置によって発電された電力を蓄える蓄電装置をさらに備える、請求項５に記載の情報処理システム。
【請求項１４】
前記モニタリング機器は、前記蓄電装置に蓄えられた電力を管理する管理部をさらに備え、  前記管理部は、前記発電信号を生成する閾値を超える電力が前記蓄電装置に蓄えられたか否かを判断する、請求項１３に記載の情報処理システム。
【請求項１５】
前記モニタリング機器は、外部からの前記モニタリング機器への入力、および前記モニタリング機器から外部への出力を制御する制御部をさらに備える、請求項５に記載の情報処理システム。
【請求項１６】
少なくとも１つ以上の発電装置による発電に基づく発電信号を取得することと、  演算処理装置によって、前記発電信号に基づいて、前記発電装置の周囲の環境、または前記発電装置を装着した装着対象の少なくともいずれかの状態を判断することと、を備える、情報処理方法。
【請求項１７】
コンピュータを  少なくとも１つ以上の発電装置による発電に基づく発電信号を取得する発電信号取得部と、  前記発電信号に基づいて、前記発電装置の周囲の環境、または前記発電装置を装着した装着対象の少なくともいずれかの状態を判断する判断部と、として機能させる、プログラム。
【発明の詳細な説明】
【技術分野】
【０００１】  本開示は、情報処理装置、情報処理システム、情報処理方法、およびプログラムに関する。
【背景技術】
【０００２】  例えば、各種センサを用いて、装着対象の状態および周囲の環境に関する情報を検出するモニタリング機器が知られている。【０００３】  このようなモニタリング機器としては、例えば、下記の非特許文献１に開示されるような電波による位置センサを備えたモニタリング機器などを例示することができる。
【先行技術文献】
【非特許文献】
【０００４】
【非特許文献１】http://www.authjapan.com/#!about/clse
【発明の概要】
【発明が解決しようとする課題】
【０００５】  しかし、各種センサを用いたモニタリング機器では、各種センサの駆動および検出した情報の信号変換等に電力を消費する。そのため、モニタリング機器への電力供給が困難な場所または状況下では、該モニタリング機器を連続して長時間駆動させることは困難であった。【０００６】  そこで、本開示では、時間的な制約を受けずに、装着対象または周囲の環境の少なくともいずれかの状態を検出することが可能な、新規かつ改良された情報処理装置、情報処理システム、情報処理方法、およびプログラムを提案する。
【課題を解決するための手段】
【０００７】  本開示によれば、少なくとも１つ以上の発電装置による発電に基づく発電信号を取得する発電信号取得部と、前記発電信号に基づいて、前記発電装置の周囲の環境、または前記発電装置を装着した装着対象の少なくともいずれかの状態を判断する判断部と、を備える、情報処理装置が提供される。【０００８】  本開示によれば、少なくとも１つ以上の発電装置を備えるモニタリング機器と、前記発電装置による発電に基づく発電信号を取得する発電信号取得部、前記発電信号に基づいて、前記モニタリング機器の周囲の環境、または前記モニタリング機器を装着した装着対象の少なくともいずれかの状態を判断する判断部、を備える情報処理装置と、を含む情報処理システムが提供される。【０００９】  また、本開示によれば、少なくとも１つ以上の発電装置による発電に基づく発電信号を取得することと、演算処理装置によって、前記発電信号に基づいて、前記発電装置の周囲の環境、または前記発電装置を装着した装着対象の少なくともいずれかの状態を判断することと、を備える、情報処理方法が提供される。【００１０】  さらに、本開示によれば、コンピュータを少なくとも１つ以上の発電装置による発電に基づく発電信号を取得する発電信号取得部と、前記発電信号に基づいて、前記発電装置の周囲の環境、または前記発電装置を装着した装着対象の少なくともいずれかの状態を判断する判断部と、として機能させる、プログラムが提供される。【００１１】  本開示によれば、電力を消費する各種センサを用いずに、発電装置による発電に基づいて、発電装置の周囲の環境、または発電装置を装着した装着対象の少なくともいずれかの状態を判断することが可能である。
【発明の効果】
【００１２】  以上説明したように本開示によれば、時間的な制約を受けずに、装着対象または周囲の環境の少なくともいずれかの状態に関する情報を検出することが可能である。【００１３】  なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】モニタリング機器の形態の一例を示した説明図である。
【図２】モニタリング機器が備える発電装置の発電方法の一例を示す説明図である。
【図３】モニタリング機器を含む情報処理システムの一例を示す説明図である。
【図４】モニタリング機器を含む情報処理システムの一例を示す説明図である。
【図５】モニタリング機器の構成の一例を示すブロック図である。
【図６】モニタリング機器の他の構成例を示すブロック図である。
【図７】モニタリング機器の他の構成例を示すブロック図である。
【図８】モニタリング機器を含む情報処理システムの機能構成を説明するブロック図である。
【図９】装着対象、または周囲の環境の少なくともいずれかの状態を判断するための判断テーブルの一例を示した説明図である。
【図１０】本開示の一実施形態に係る情報処理システムの動作例を説明するフローチャート図である。
【図１１】本開示の一実施形態に係る情報処理システムの具体的なシステム構成を説明する説明図である。
【図１２】装着対象が家畜である場合の情報処理システムの具体的な構成を示す説明図である。
【図１３】装着対象が家畜である場合のモニタリング機器の装着例を示す説明図である。
【図１４】モニタリング機器の発電信号を用いて、装着対象の状態を判定する動作を説明するフローチャート図である。
【図１５】モニタリング機器の発電信号を用いて、装着対象の状態を判定する動作を説明するフローチャート図である。
【図１６】モニタリング機器の発電信号を用いて、装着対象の状態を判定する動作を説明するフローチャート図である。
【図１７】モニタリング機器の発電信号を用いて、装着対象の状態を判定する動作を説明するフローチャート図である。
【図１８】モニタリング機器の発電信号を用いて、装着対象の状態を判定する動作を説明するフローチャート図である。
【図１９】モニタリング機器からの発電信号に基づいて、モニタリング機器の周囲の環境の変化を判断する動作を説明するシーケンス図である。
【図２０】モニタリング機器からの発電信号に基づいて、モニタリング機器の周囲の環境の変化を判断する動作を説明するシーケンス図である。
【図２１】モニタリング機器からの発電信号に基づいて、モニタリング機器の周囲の環境の変化を判断する動作を説明するシーケンス図である。
【図２２】モニタリング機器の発電信号と、受信機器の周囲の環境の変化に関する情報とを用いて、装着対象または装着対象の周囲の状態を判定する動作を説明するフローチャート図である。
【図２３】モニタリング機器の発電信号と、受信機器の周囲の環境の変化に関する情報とを用いて、装着対象または装着対象の周囲の状態を判定する動作を説明するフローチャート図である。
【図２４】モニタリング機器の発電信号と、受信機器の周囲の環境の変化に関する情報とを用いて、装着対象または装着対象の周囲の状態を判定する動作を説明するフローチャート図である。
【図２５】モニタリング機器の発電信号と、受信機器の周囲の環境の変化に関する情報とを用いて、装着対象または装着対象の周囲の状態を判定する動作を説明するフローチャート図である。
【図２６】本開示の一実施形態に係る情報処理装置のハードウェア構成例を示したブロック図である。
【発明を実施するための形態】
【００１５】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】  なお、説明は以下の順序で行うものとする。  １．背景の詳述  ２．モニタリング機器の基本構成例    ２−１．システムの全体概要    ２−２．モニタリング機器の構成例      ２−２−１．個別の演算装置を用いる例      ２−２−２．共通の演算装置を用いる例      ２−２−３．共通の蓄電装置を用いる例    ２−３．システムの機能構成例    ２−４．システムの動作例    ２−５．システムの使用例      ２−５−１．第１の使用例      ２−５−２．第２の使用例    ２−６．情報処理システムの具体例  ３．情報処理装置のハードウェア構成例  ４．まとめ
【００１７】  ＜＜１．背景の詳述＞＞  例えば、生体である装着対象に関する情報を検出するモニタリング機器として、体温、脈拍（すなわち、心拍）、心電、筋電、発汗、または活動量などを検出する各種センサを備え、これらの情報を検出するものが知られている。また、生体以外の装着対象に関する情報を検出するモニタリング機器として、内部温度、表面温度、振動周波数、または振動加速度などを検出する各種センサを備え、これらの情報を検出するものが知られている。
【００１８】  さらに、例えば、装着対象の周囲の環境に関する情報を検出するモニタリング機器として、気温、湿度、照度、もしくは装着対象の移動方向、移動速度、または位置などを検出する各種センサを備え、これらの情報を検出するものが知られている。
【００１９】  ただし、上述したモニタリング機器が備える各種センサは、いずれもセンサ自体の駆動、および検出した情報のＡＤ（Ａｎａｌｏｇ−Ｄｉｇｉｔａｌ）変換などの信号処理に電力を消費する。そのため、各種センサへの電力供給が困難な場所または状況下では、これらの各種センサを駆動させ、モニタリング機器にて装着対象および周囲の環境の状態を検出し続けることは、時間的な制約があるため、困難であった。
【００２０】  また、モニタリング機器が備える各種センサを長時間駆動させるために、モニタリング機器が備える電池等の蓄電装置の容量を大きくした場合、モニタリング機器の大きさをより大きくする必要がある。すなわち、モニタリング機器の駆動時間は、モニタリング機器に備えられる各種センサの消費電力と、モニタリング機器の大きさとにより決まることになる。
【００２１】  一方、モニタリング機器の大きさは、モニタリング機器を装着する装着対象の大きさ、およびモニタリング機器を使用する状況によっても制約される。特に、装着対象が違和感なく、モニタリング機器を装着し続けるには、モニタリング機器は、小型である必要がある。
【００２２】  したがって、装着対象に常時、装着されるモニタリング機器ほど、駆動時間が短くなる傾向があった。また、モニタリング機器が備える各種センサの数が多いほど、消費電力が大きくなるため、駆動時間が短くなる傾向があった。さらに、モニタリング機器の駆動時間が短くなるほど、不意の電力の枯渇（すなわち、電池切れ）によって、モニタリング機器が使用できなくなるという機会損失の頻度が上昇してしまう傾向があった。
【００２３】  上述した背景は、例えば、不意の災害、事故、事件、または遭難などにモニタリング機器の装着対象が遭遇した場合、モニタリング機器によって装着対象の状態を他者に通知することを困難にしていた。例えば、ＧＮＳＳ（Ｇｌｏｂａｌ  Ｎａｖｉｇａｔｉｏｎ  Ｓａｔｅｌｌｉｔｅ  Ｓｙｓｔｅｍ）等を用いた位置センサによって、災害等の際に他者に装着対象の位置を通知するモニタリング機器は、位置センサが電力を消費するため、連続駆動時間が有限である。また、このようなモニタリング機器では、災害等に遭遇した装着対象が危険な状態であるのか否か等の装着対象の状態を他者に通知することは困難であった。
【００２４】  さらに、このようなモニタリング機器は、不意の災害、事故、事件、または遭難などに遭った際に電力の枯渇によってモニタリング機器が使用できないという機会損失を招かないために、装着対象または電力を充電する者に対して、モニタリング機器の蓄電量に注意を払わせることになる。そのため、このようなモニタリング機器は、所持および使用の際に、装着対象または電力を充電する者に対して、心理的負担を強いることになってしまう。
【００２５】  本開示の一実施形態に係る情報処理装置は、各種センサを用いず、装着対象の状態または周囲の環境によって発電量が変化する発電装置を用いて、装着対象の状態または周囲の環境の少なくともいずれかの状態を判断する。具体的には、本実施形態に係る情報処理装置は、モニタリング機器が備える発電装置によって発電される電力、出力電圧、もしくは発電量、またはこれらの値の変化量に基づいて、装着対象または周囲の環境の少なくともいずれかの状態を判断する。
【００２６】  これにより、本実施形態に係る情報処理装置は、電力の枯渇によるモニタリング機器の使用の機会損失への不安、およびモニタリング機器の充電の負担を装着対象等に与えることなく、かつ時間的な制約なく、装着対象および周囲の環境等の状態をモニタリングすることを可能とする。
【００２７】  具体的には、本実施形態に係る情報処理装置によれば、装着対象の周囲の環境の状態を判断することで、装着対象の位置を推定することができる。これにより、本実施形態に係る情報処理装置は、電池等を電源として各種センサを駆動させるモニタリング機器では実現が困難であった災害、事故、事件、もしくは遭難に遭った被災者、または遺失物などの装着対象の探索を長期に亘って行うことが可能である。また、本実施形態に係る情報処理装置によれば、装着対象の位置を推定するだけでなく、装着対象の状態を把握することも可能である。
【００２８】  ＜＜２．モニタリング機器の基本構成例＞＞  次に、図１〜図４を参照して、本開示の各実施形態に係るモニタリング機器を含む情報処理システムに共通する基本構成について説明する。図１は、モニタリング機器１００の形態の一例を示した説明図であり、図２は、モニタリング機器１００が備える発電装置の発電方法の一例を示す説明図である。また、図３および図４は、モニタリング機器１００を含む情報処理システムの一例を示す説明図である。以下では、まず、モニタリング機器を含む情報処理システムの構成例を説明した後に、モニタリング機器の構成例を説明する。
【００２９】  ＜２−１．システムの全体概要＞  本実施形態に係るモニタリング機器１００は、少なくとも１つの発電装置を備える。また、モニタリング機器１００は、ユーザ等に装着され、または携帯され得る装置であって、種々の形態とすることができる。例えば、図１に示すように、モニタリング機器１００は、キャップ等に取り付けられるバッヂ型のモニタリング機器１００としてもよく、携帯端末装置等に取り付けられるストラップ型のモニタリング機器１００としてもよく、ユーザの腕等に装着されるブレスレット型のモニタリング機器１００としてもよい。
【００３０】  例えば、図２に示すように、モニタリング機器１００に備えられる発電装置は、太陽光を利用して発電する装置であってもよく、ユーザの体温を利用して発電する装置であってもよく、または、ユーザの動作に伴う振動を利用して発電する装置であってもよい。
【００３１】  モニタリング機器１００は、例えば、発電装置と併せて通信装置を備えることにより、他のモニタリング機器１００との間での通信が可能になっていてもよい。例えば、図３に示すように、ユーザＡが装着したモニタリング機器１００と、ユーザＢが装着したモニタリング機器１００とをビーコン装置として使用してもよい。モニタリング機器１００がビーコン装置として使用される場合、２つのモニタリング機器１００が、例えば、０ｋｍ〜２ｋｍの距離の範囲内にあれば、互いに情報を送受信することができる。
【００３２】  また、図４に示すように、モニタリング機器１００がインターネット等の通信網と通信可能な通信装置を備える場合、または、モニタリング機器１００がインターネット等の通信網と通信可能なスマートフォンまたは専用端末装置との通信装置を備える場合、２つのモニタリング機器１００は、該通信網を介して、互いに情報を送受信することができる。例えば、ユーザＡが装着したモニタリング機器１００から送信されたユーザＡの現在地の情報を、ユーザＢが携帯するモニタリング機器１００が受信することによって、ユーザＢは、ユーザＡの位置に関する情報を取得することができる。
【００３３】  なお、モニタリング機器１００が検出した情報は、インターネット等の通信網を介して、情報処理装置、またはデータベース等に集約されてもよい。また、専用端末装置は、タブレット端末、ＰＤＡ（Ｐｅｒｓｏｎａｌ  Ｄｉｇｉｇｔａｌ  Ａｓｓｉｓｔａｎｃｅ）、スマートフォンを含む携帯電話、およびパーソナルコンピュータなどの表示画面を有する装置であってもよく、表示画面を有しないゲートウェイ装置、または所定の地点に設置されたアンテナ装置などであってもよい。
【００３４】  この他、本実施形態に係るモニタリング機器１００は、様々な様態にて使用されてもよい。
【００３５】  ＜２−２．モニタリング機器の構成例＞  次に、図５〜図７を参照して、本実施形態に係るモニタリング機器１００の構成例について説明する。なお、本実施形態に係るモニタリング機器１００は、少なくとも１つ以上の発電装置を備える。
【００３６】  （２−２−１．個別の演算装置を用いる例）  図５は、モニタリング機器１００の構成の一例を示すブロック図である。図５に示すように、モニタリング機器１００は、例えば、３つの発電装置１０Ａ、１０Ｂ、１０Ｃと、３つの蓄電装置２０Ａ、２０Ｂ、２０Ｃと、３つの信号生成装置２２Ａ、２２Ｂ、２２Ｃと、３つの演算装置３０Ａ、３０Ｂ、３０Ｃと、３つの記憶装置３２Ａ、３２Ｂ、３２Ｃと、１つの通信装置４０と、を備える。
【００３７】  （発電装置）  発電装置１０Ａ、１０Ｂ、１０Ｃは、例えば、振動・運動発電装置、太陽光発電装置、熱電変換発電装置、酵素発電装置、電波発電装置、近傍電磁界発電装置、または磁界共鳴、電磁誘導、もしくは電界結合による電力伝送装置のいずれか１つまたは複数の発電装置が選択されて用いられる。また、上記の例以外の種類の発電装置が発電装置１０Ａ、１０Ｂ、１０Ｃとして用いられてもよい。発電装置１０Ａ、１０Ｂ、１０Ｃは、すべて同一の種類の発電装置であってもよいが、種類が異なる発電装置であれば、様々な装着対象および周囲の環境の状態に関する情報を取得することができる。
【００３８】  振動・運動発電装置は、例えば、静電型、電磁型、逆磁歪型または圧電型の発電素子を用いて構成され、振動エネルギまたは振動エネルギを利用して発電を行う。太陽光発電装置は、例えば、太陽電池を用いて構成され、太陽光を利用して発電を行う。熱電変換発電装置は、例えば、ゼーベック効果、またはトムソン効果を用いた発電素子、熱電子発電素子、または熱磁気発電素子を用いて構成され、体温および外気温のうち少なくとも１つを利用して発電を行う。酵素発電装置は、例えば、有機物等に含まれる炭水化物（ぶどう糖など）を酵素で分解することで発電を行う。
【００３９】  電波発電装置は、例えば、Ｗｉ−Ｆｉ（登録商標）、または地上デジタル波等の電波を利用して発電を行う。近傍電磁界発電装置は、例えば、近傍界の電磁波を利用して発電を行う。磁界共鳴電力伝送装置および電磁誘導電力伝送装置は、２つのコイルを共振器として利用し、給電側のコイルに電流を流すことによって受電側のコイルに電流が流れる装置である。電界結合電力伝送装置は、対面する２つの電極板の一方に高周波の電流が流れることによって他方の電極板に電流が流れる装置である。
【００４０】  （蓄電装置）  蓄電装置２０Ａ、２０Ｂ、２０Ｃは、例えば、キャパシタ、コンデンサ、もしくは２次電池、またはこれらの中間的性質の蓄電素子のいずれか１つまたは複数の蓄電装置が選択されて用いられる。蓄電装置２０Ａ（２０Ｂ、２０Ｃ）は、それぞれ発電装置１０Ａ（１０Ｂ、１０Ｃ）に接続され、発電装置１０Ａ（１０Ｂ、１０Ｃ）により発電された電力を蓄電可能になっている。また、上記の例以外の種類の蓄電装置が蓄電装置２０Ａ、２０Ｂ、２０Ｃとして用いられてもよい。蓄電装置２０Ａ、２０Ｂ、２０Ｃは、すべて同一の種類の蓄電装置であってもよく、異なる種類の蓄電装置であってもよい。
【００４１】  蓄電装置２０Ａ、２０Ｂ、２０Ｃに蓄えられた電力が、装着対象の状態、または周囲の環境の少なくともいずれかに関する情報を含む信号の生成にのみ用いられる場合、蓄電装置２０Ａ、２０Ｂ、２０Ｃの蓄電容量は、比較的小さくともよい。また、蓄電装置２０Ａ、２０Ｂ、２０Ｃに蓄えられた電力は、モニタリング機器１００全体の制御等にも用いられてもよい。
【００４２】  （信号生成装置）  信号生成装置２２Ａ、２２Ｂ、２２Ｃは、それぞれ発電装置１０Ａ、１０Ｂ、１０Ｃにより発電された電力に基づいて状態遷移し、状態遷移したことを記憶する。信号生成装置２２Ａ、２２Ｂ、２２Ｃとしては、例えば、最小構成としてスイッチング素子を例示することができる。スイッチング素子は、例えば、発電装置１０Ａ、１０Ｂ、１０Ｃからの電力供給により、ＯＮおよびＯＦＦの２状態の状態遷移を行うことができる。
【００４３】  スイッチング素子は、エネルギ供給状態を維持しないと遷移状態を記憶し続けられないものであってもよく、エネルギ供給状態を維持しなくとも遷移状態を記憶し続けられるものであってもよい。ここで、スイッチング素子がエネルギ供給状態を維持しなくとも遷移状態を記憶し続けられるものである場合、スイッチング素子単体が信号生成装置２２Ａ、２２Ｂ、２２Ｃに相当する。
【００４４】  一方、スイッチング素子がエネルギ供給状態を維持しないと遷移状態を記憶し続けられないものである場合、エネルギ供給状態を維持しなくとも遷移状態を記憶し続けられる他の素子をスイッチング素子に接続すればよい。具体的には、スイッチング素子の状態遷移によって状態が遷移し、かつエネルギ供給がなくとも状態遷移を維持可能な素子にスイッチング素子の状態遷移を記憶させることで、スイッチング素子のＯＮおよびＯＦＦの２状態の状態遷移を記憶することができる。このような場合、スイッチング素子、およびスイッチング素子に接続する素子の一連の素子のまとまりが信号生成装置２２Ａ、２２Ｂ、２２Ｃに相当する。
【００４５】  また、信号生成装置２２Ａ、２２Ｂ、２２Ｃは、上記のスイッチ動作を基本としたより複雑なものであってもよい。例えば、信号生成装置２２Ａ、２２Ｂ、２２Ｃは、発電装置１０Ａ、１０Ｂ、１０Ｃにて発電された電力に基づく状態遷移として命令信号を生成し、ある目的を達成する一連の動作を単位とする１動作単位または複数動作単位の命令群を実行してもよい。このような場合、上記の命令群の実行の処理において、処理に伴ってデータ等の記憶処理が行われるが、当該記憶処理にて記憶される事項を、状態遷移を表す記憶として利用してもよい。また、信号生成装置２２Ａ、２２Ｂ、２２Ｃは、別途、動作状態を記憶するカウンタ等を設けてもよい。
【００４６】  なお、上述した事項が記憶される記憶装置は、記憶装置３２Ａ、３２Ｂ、３２Ｃを用いてもよく、通信装置４０等が記憶装置を備えている場合、通信装置４０が備える記憶装置を用いてもよい。また、通信装置４０が備える記憶装置を用いる場合、記憶装置は、記憶領域を時分割または割り込み処理によって共有することで、発電装置１０Ａ、１０Ｂ、１０Ｃにて発電された電力に基づく信号の各々を記憶することができる。
【００４７】  具体的には、信号生成装置２２Ａ（２２Ｂ、２２Ｃ）は、発電装置１０Ａ（１０Ｂ、１０Ｃ）の固有の識別情報、およびリセットＩＣ（Ｉｎｔｅｇｒａｔｅｄ  Ｃｉｒｃｕｉｔ）などのスイッチ回路動作状態に関する情報を含む信号を生成する。生成された信号は、記憶装置３２Ａ（３２Ｂ、３２Ｃ）または通信装置４０が備える記憶装置に記憶されてもよい。また、信号生成装置２２Ａ（２２Ｂ、２２Ｃ）は、発電装置１０Ａ（１０Ｂ、１０Ｃ）のインピーダンスおよび出力特性などの発電装置１０Ａ（１０Ｂ、１０Ｃ）の特性に関する情報をさらに含む信号を生成してもよい。
【００４８】  さらに、信号生成装置２２Ａ（２２Ｂ、２２Ｃ）は、通信装置４０が通信する対象との認証に必要な識別信号に類する信号を生成する信号として利用してもよい。すなわち、通信装置４０を駆動させるために必要な電力が蓄電装置２０Ａ（２０Ｂ、２０Ｃ）に蓄えられた場合、リセットＩＣ等によって蓄電装置２０Ａから通信装置４０への電力供給ラインをＯＮにすることで、通信装置４０へ電力を供給する。このとき、信号生成装置２２Ａ（２２Ｂ、２２Ｃ）は、通信装置４０が通信する対象と認証および接続動作をするために必要な情報を信号として生成してもよい。
【００４９】  このような場合、通信装置４０から送信される情報は、発電装置１０Ａ（１０Ｂ、１０Ｃ）の系統を識別する識別情報と、発電装置１０Ａ（１０Ｂ、１０Ｃ）での信号発生の有無または信号発生回数とを基本的に含むものとなる。なお、通信装置４０から送信される情報には、必要に応じて、時間に関する情報が追加されてもよい。
【００５０】  通信装置４０から送信される情報は、受信した情報処理装置が備える演算装置によってモニタリング機器１００を装着した装着対象の状態、またはモニタリング機器１００の周囲の環境の少なくともいずれかに関する情報へと情報処理される。ただし、通信装置４０から送信される情報は、モニタリング機器１００が備える演算装置３０Ａ、３０Ｂ、３０Ｃによって、モニタリング機器１００を装着した装着対象の状態、またはモニタリング機器１００の周囲の環境の少なくともいずれかに関する情報へと情報処理されたものであってもよい。
【００５１】  （演算装置）  演算装置３０Ａ、３０Ｂ、３０Ｃは、モニタリング機器１００の使用用途にもよるが、例えば、簡易な構成の比較器、またはマイクロコンピュータ等であってもよく、特に限定されない。演算装置３０Ａ、３０Ｂ、３０Ｃは、すべて同一の種類の演算装置であってもよく、異なる種類の演算装置であってもよい。
【００５２】  （記憶装置）  記憶装置３２Ａ、３２Ｂ、３２Ｃは、揮発性の記憶装置であってもよく、不揮発性の記憶装置であってもよい。例えば、記憶装置３２Ａ、３２Ｂ、３２Ｃは、情報を一時記憶可能なＲＡＭ（Ｒａｎｄｏｍ  Ａｃｃｅｓｓ  Ｍｅｍｏｒｙ）等の記憶素子であってもよい。記憶装置３２Ａ、３２Ｂ、３２Ｃが不揮発性の記憶装置である場合、モニタリング機器１００は、蓄電装置２０Ａ、２０Ｂ、２０Ｃに蓄電された電力が尽きる前に、記憶装置３２Ａ、３２Ｂ、３２Ｃに情報を退避させ、電力が尽きる前の情報および状態を記憶させておくことができる。このような場合、蓄電装置２０Ａ、２０Ｂ、２０Ｃに電力が蓄電されていなくとも通信可能なＮＦＣおよびＲＦＩＤ等の通信技術を利用することで、他のモニタリング機器１００および読取装置は、電力が尽きる前のモニタリング機器１００の情報および状態を読み取ることができる。図５に示したように、記憶装置３２Ａ（３２Ｂ、３２Ｃ）は、演算装置３０Ａ（３０Ｂ、３０Ｃ）に実装され、記憶装置３２Ａ（３２Ｂ、３２Ｃ）および演算装置３０Ａ（３０Ｂ、３０Ｃ）により１つの単位ブロックが構成されていてもよい。また、記憶装置３２Ａ、３２Ｂ、３２Ｃは、独立した単位ブロックとなっていてもよい。
【００５３】  演算装置３０Ａ、３０Ｂ、３０Ｃがマイクロコンピュータである場合、記憶装置３２Ａ、３２Ｂ、３２Ｃは、マイクロコンピュータにより実行されるプログラムを記憶するＲＯＭ（Ｒｅａｄ  Ｏｎｌｙ  Ｍｅｍｏｒｙ）等の記憶素子を含んでいてもよい。なお、記憶装置３２Ａ、３２Ｂ、３２Ｃは、すべて同一の種類であってもよく、異なる種類であってもよい。
【００５４】  （通信装置）  通信装置４０は、モニタリング機器１００の内部に記憶された情報を外部に出力する装置であり、無線または有線の物理的信号線であってもよい。例えば、通信装置４０は、赤外線、電磁波または電界を利用した無線方式の装置であってもよい。具体的には、通信装置４０は、Ｗｉ−Ｆｉ（登録商標）、ＺｉｇＢｅｅ（登録商標）、Ｂｌｕｅｔｏｏｔｈ（登録商標）、Ｂｌｕｅｔｏｏｔｈ  Ｌｏｗ  Ｅｎｅｒｇｙ（登録商標）、ＡＮＴ（登録商標）、ＡＮＴ＋（登録商標）、ＥｎＯｃｅａｎ  Ａｌｌｉａｎｃｅ（登録商標）等に代表される数百ＭＨｚ〜数ＧＨｚの帯域の波長信号を送受信可能な装置であってもよい。また、通信装置４０は、ＮＦＣ（Ｎｅａｒ  Ｆｅｉｌｄ  Ｃｏｍｍｕｎｉｃａｔｉｏｎ）に代表される近接通信可能な装置であってもよい。また、通信装置４０は、図示しない記憶装置を備えていてもよい。
【００５５】  なお、図５に破線で示したように、上記の演算装置３０Ａ、３０Ｂ、３０Ｃが、通信装置４０に備えられた演算装置を用いて実現されていてもよい。また、モニタリング機器１００が周囲に設置される他の装置を介して、他のモニタリング機器１００またはインターネット等に接続される場合、通信装置４０は、有線方式の装置であってもよい。
【００５６】  （他の装置）  モニタリング機器１００は、図５にて示した各装置以外にも、必要に応じて種々の装置を備えていてもよい。例えば、発電装置１０Ａ、１０Ｂ、１０Ｃの出力を整流する整流回路、発電装置１０Ａ、１０Ｂ、１０Ｃの出力電圧を昇圧または降圧するレギュレータ、蓄電装置２０Ａ、２０Ｂ、２０Ｃの充放電状態の制御もしくは以上監視をする充電回路、信号生成を行う信号生成装置２２Ａ、２２Ｂ、２２Ｃへの電力供給をより複雑にスイッチングするための演算装置および記憶装置、アクチュエータ、ならびにＬＥＤ（Ｌｉｇｈｔ  Ｅｍｉｔｔｉｎｇ  Ｄｉｏｄｅ）ランプおよびメモリ型ディスプレイなどの表示装置などが、さらにモニタリング機器１００に備えられていてもよい。
【００５７】  なお、信号生成装置２２Ａ、２２Ｂ、２２Ｃによる信号生成、生成された信号の解析および加工、通信装置４０による通信、アクチュエータの駆動、および表示装置による表示に必要な電力は、発電装置１０Ａ、１０Ｂ、１０Ｃにて発電した電力を利用してもよい。具体的には、信号生成装置２２Ａ、２２Ｂ、２２Ｃと接続された蓄電装置２０Ａ、２０Ｂ、２０Ｃとは別系統の蓄電装置に、発電装置１０Ａ、１０Ｂ、１０Ｃにて発電した電力から共通に所定の電力が蓄えられて利用されてもよい。また、信号生成装置２２Ａ、２２Ｂ、２２Ｃと接続された蓄電装置２０Ａ、２０Ｂ、２０Ｃに蓄えられた電力の一部が利用されてもよい。さらに、別途、一次電池または外部電源から充電された蓄電装置に蓄えられた電力が利用されてもよい。
【００５８】  なお、図５で示したモニタリング機器１００の構成例は、発電装置１０Ａ、１０Ｂ、１０Ｃ、蓄電装置２０Ａ、２０Ｂ、２０Ｃ、信号生成装置２２Ａ、２２Ｂ、２２Ｃ、演算装置３０Ａ、３０Ｂ、３０Ｃ、および記憶装置３２Ａ、３２Ｂ、３２Ｃをそれぞれ３つ備えているが、これらの数は、３つに限られるものではなく、２つ以下であってもよく、４つ以上であってもよい。また、図５で示した構成例において、発電装置１０Ａ、１０Ｂ、１０Ｃ、蓄電装置２０Ａ、２０Ｂ、２０Ｃ、信号生成装置２２Ａ、２２Ｂ、２２Ｃ、演算装置３０Ａ、３０Ｂ、３０Ｃ、記憶装置３２Ａ、３２Ｂ、３２Ｃ、および通信装置４０のうちから適宜選択される複数の装置により、単位ブロックが構成されていてもよい。例えば、発電装置１０Ａ、蓄電装置２０Ａ、信号生成装置２２Ａ、演算装置３０Ａ、記憶装置３２Ａ、および通信装置４０が１つの単位ブロックとして構成されていてもよい。
【００５９】  本実施形態に係るモニタリング機器１００は、例えば、信号生成装置２２Ａ、２２Ｂ、２２Ｃが駆動する最低限の電力量が蓄電装置２０Ａ、２０Ｂ、２０Ｃに蓄えられた場合、発電装置１０Ａ、１０Ｂ、１０Ｃの系統固有の信号を生成する。本実施形態に係るモニタリング機器１００は、この際に生成された信号の組み合わせをセンシング情報として利用するものである。なお、上記のセンシング情報には、信号がない（すなわち、発電装置１０Ａ、１０Ｂ、１０Ｃが発電をしていない）という情報が含まれていてもよい。
【００６０】  具体的には、モニタリング機器１００は、発電装置が発電し、発電された電力によって信号生成装置が駆動したという信号（すなわち、１次信号）を生成する。該１次信号を受信した情報処理装置は、該１次信号に基づいて、モニタリング機器１００を装着した装着対象の状態、またはモニタリング機器１００の周囲の環境の少なくともいずれかに関する情報（すなわち、２次信号）を生成することができる。なお、該２次信号を受信した情報処理装置は、モニタリング機器１００を装着した装着対象の状態、またはモニタリング機器１００の周囲の環境の少なくともいずれかに関する情報から、さらに装着対象への対応に関する情報（すなわち、３次信号）を生成してもよい。
【００６１】  ３次信号は、例えば、３次信号を生成したモニタリング機器１００または情報処理装置と有線または無線にて接続された外部機器または該外部機器に搭載されたアプリケーションに対する制御命令であってもよく、これらの制御命令よりも高次の信号であってもよい。また、モニタリング機器１００または情報処理装置は、情報処理装置と有線または無線にて接続された外部機器または該外部機器に搭載されたアプリケーションに対する制御命令として、１次信号または２次信号を生成してもよい。
【００６２】  （２−２−２．共通の演算装置を用いる例）  続いて、図６を参照して、モニタリング機器１００の構成の他の例を説明する。図６は、モニタリング機器１００の他の構成例を示すブロック図である。
【００６３】  図６に示すように、モニタリング機器１００は、例えば、３つの発電装置１０Ａ、１０Ｂ、１０Ｃと、３つの蓄電装置２０Ａ、２０Ｂ、２０Ｃと、３つの信号生成装置２２Ａ、２２Ｂ、２２Ｃと、１つの演算装置３０と、演算装置３０に設けられた記憶装置３２と、１つの通信装置４０と、通信装置４０に設けられた記憶装置４２とを備える。図６に示したモニタリング機器１００の構成例は、全ての発電装置１０Ａ、１０Ｂ、１０Ｃ、および蓄電装置２０Ａ、２０Ｂ、２０Ｃに共通の演算装置３０および記憶装置３２を１つのみ備える点で、図５で示したモニタリング機器１００の構成例と異なる。
【００６４】  ここで、図６で示したモニタリング機器１００の構成例における各装置の基本的な機能は、図５で示した構成例における各装置と同様であってもよい。また、通信装置４０に設けられた記憶装置４２は、演算装置３０に設けられた記憶装置３２として使用され得る記憶素子の中から適宜選択されて用いられてもよい。また、図６で示したモニタリング機器１００の構成において、演算装置３０は、通信装置４０に備えられた演算装置を用いて実現されてもよい。なお、記憶装置３２は、記憶領域を時分割または割り込み処理によって共有することで、３つの発電装置１０Ａ、１０Ｂ、１０Ｃにて発電された電力に基づく信号の各々を記憶することができる。
【００６５】  また、図６で示したモニタリング機器１００の構成例は、発電装置１０Ａ、１０Ｂ、１０Ｃ、蓄電装置２０Ａ、２０Ｂ、２０Ｃ、信号生成装置２２Ａ、２２Ｂ、２２Ｃをそれぞれ３つ備えているが、これらの数は、３つに限られるものではなく、２つ以下であってもよく、４つ以上であってもよい。また、図６で示した構成例において、発電装置１０Ａ、１０Ｂ、１０Ｃ、蓄電装置２０Ａ、２０Ｂ、２０Ｃ、信号生成装置２２Ａ、２２Ｂ、２２Ｃ、演算装置３０、記憶装置３２、通信装置４０および記憶装置４２のうちから適宜選択される複数の装置により、単位ブロックが構成されていてもよい。例えば、発電装置１０Ａ、蓄電装置２０Ａ、信号生成装置２２Ａ、演算装置３０、記憶装置３２、および通信装置４０が１つの単位ブロックとして構成されていてもよい。
【００６６】  （２−２−３．共通の蓄電装置を用いる例）  続いて、図７を参照して、モニタリング機器１００の構成の他の例を説明する。図７は、モニタリング機器１００の他の構成例を示すブロック図である。
【００６７】  図７に示すように、モニタリング機器１００は、例えば、３つの発電装置１０Ａ、１０Ｂ、１０Ｃと、３つの蓄電装置２０Ａ、２０Ｂ、２０Ｃと、３つの信号生成装置２２Ａ、２２Ｂ、２２Ｃと、１つの演算装置３０と、演算装置３０に設けられた記憶装置３２と、１つの通信装置４０と、通信装置４０に設けられた記憶装置４２と、演算装置３０および通信装置４０に電力を供給する蓄電装置５０とを備える。
【００６８】  図７に示したモニタリング機器１００の構成例は、発電装置１０Ａ、１０Ｂ、１０Ｃにて発電された電力の一部を蓄電装置５０に蓄え、蓄電装置５０に蓄えられた電力にて演算装置３０および通信装置４０を駆動させる点で、図６で示したモニタリング機器１００の構成例と異なる。
【００６９】  なお、図７で示したモニタリング機器１００の構成例における各装置の基本的な機能は、図５で示した構成例における各装置と同様であってもよい。また、蓄電装置５０は、発電装置１０Ａ、１０Ｂ、１０Ｃと接続する蓄電装置２０Ａ、２０Ｂ、２０Ｃとして使用され得る蓄電装置の中から適宜選択されて用いられてもよい。ただし、蓄電装置５０は、演算装置３０および通信装置４０を駆動させる電力を蓄えるため、比較的大容量の二次電池等が用いられてもよい。
【００７０】  蓄電装置５０は、発電装置１０Ａ、１０Ｂ、１０Ｃにて発電した電力のうち、信号生成装置２２Ａ、２２Ｂ、２２Ｃを駆動させるために必要な電力を除いた残りの電力を蓄える。蓄電装置５０は、信号生成装置２２Ａ、２２Ｂ、２２Ｃによって信号を生成するために必要な電力以外を蓄えることにより、発電された電力をより効率的に演算装置３０および通信装置４０に供給することができる。
【００７１】  なお、図７で示したモニタリング機器１００の構成例においても、発電装置１０Ａ、１０Ｂ、１０Ｃ、蓄電装置２０Ａ、２０Ｂ、２０Ｃ、信号生成装置２２Ａ、２２Ｂ、２２Ｃをそれぞれ３つ備えているが、これらの数は、３つに限られるものではなく、２つ以下であってもよく、４つ以上であってもよい。また、図７で示した構成例においても、発電装置１０Ａ、１０Ｂ、１０Ｃ、蓄電装置２０Ａ、２０Ｂ、２０Ｃ、信号生成装置２２Ａ、２２Ｂ、２２Ｃ、演算装置３０、記憶装置３２、通信装置４０および記憶装置４２のうちから適宜選択される複数の装置により、単位ブロックが構成されていてもよい。例えば、発電装置１０Ａ、蓄電装置２０Ａ、信号生成装置２２Ａ、演算装置３０、記憶装置３２、および通信装置４０が１つの単位ブロックとして構成されていてもよい。
【００７２】  以上にて、本実施形態に係るモニタリング機器１００の基本構成について説明した。
【００７３】  ＜２−３．システムの機能構成例＞  続いて、図８を参照して、本実施形態に係る情報処理システムの機能構成例について説明する。図８は、上述したモニタリング機器１００を含む情報処理システムの機能構成を説明するブロック図である。
【００７４】  図８に示すように、本実施形態に係る情報処理システムは、装着対象に装着されたモニタリング機器１００と、通信網５を介してモニタリング機器１００と通信する情報処理装置３００とを含む。
【００７５】  また、モニタリング機器１００は、発電装置１０と、蓄電装置２０と、管理部１０２と、制御部１０４とを備え、情報処理装置３００は、発電信号取得部３０２と、判断部３０４と、出力部３０６とを備える。
【００７６】  （モニタリング機器）  発電装置１０は、種々の方法を用いて電力を生成する装置である。また、蓄電装置２０は、発電装置１０が発電した電力を蓄える装置である。発電装置１０および蓄電装置２０は、少なくとも１つ以上であればよく、上限は特に限定されない。なお、発電装置１０および蓄電装置２０の詳細は、上記にて説明したとおりであるため、ここでの説明は省略する。
【００７７】  管理部１０２は、蓄電装置２０に蓄えられた電力を管理する。具体的には、管理部１０２は、蓄電装置２０に蓄えられた電力を確認し、蓄電装置２０に閾値以上の電力が蓄えられているか否かを判断する。ここで、管理部１０２が判断の基準とする閾値は、例えば、発電装置１０が発電していることを示す発電信号の生成および情報処理装置３００への送信の動作を行うために必要な電力であってもよい。管理部１０２が蓄電装置２０に閾値以上の電力が蓄えられていると判断した場合、例えば、信号生成装置２２（２２Ａ、２２Ｂ，２２Ｃ）によって発電装置１０が発電していることを示す発電信号が生成される。管理部１０２の機能は、例えば、演算装置３０（３０Ａ、３０Ｂ、３０Ｃ）によって実行されてもよい。
【００７８】  制御部１０４は、外部からのモニタリング機器１００への入力、およびモニタリング機器１００から外部への出力を制御する。具体的には、制御部１０４は、信号生成装置２２（２２Ａ、２２Ｂ，２２Ｃ）によって生成された発電信号を通信網５によって情報処理装置３００へと出力する。また、制御部１０４は、３次信号等において、情報処理装置３００からモニタリング機器１００への制御命令等の入力があった場合、該入力を受信し、該入力に基づいて、モニタリング機器１００を制御する。制御部１０４の機能は、例えば、演算装置３０（３０Ａ、３０Ｂ、３０Ｃ）、および通信装置４０が備える演算装置によって実行されてもよい。
【００７９】  （通信網）  通信網５は、上述した通信装置４０によって通信が行われるネットワークである。通信網５は、例えば、インターネット、衛星通信網、電話回線網、および移動体通信網（例えば、３Ｇ回線網など）等の公衆回線網などであってもよい。
【００８０】  （情報処理装置）  発電信号取得部３０２は、モニタリング機器１００から送信された発電信号を取得する。具体的には、発電信号取得部３０２は、モニタリング機器１００が備える発電装置１０による発電に関する情報を含む発電信号を通信網５によって受信する。発電信号取得部３０２は、例えば、通信網５に接続するための通信デバイス等で構成された通信インタフェースである。また、発電信号取得部３０２は、有線または無線ＬＡＮ（Ｌｏｃａｌ  Ａｒｅａ  Ｎｅｔｗｏｒｋ）対応通信装置であっても、有線によるケーブル通信を行うケーブル通信装置であってもよく、電波による無線通信を行うアンテナ通信装置であってもよい。
【００８１】  判断部３０４は、モニタリング機器１００から受信した発電信号に基づいて、発電装置１０を装着した装着対象、または発電装置１０の周囲の環境の少なくともいずれかの状態を判断する。なお、発電装置１０を装着した装着対象とは、モニタリング機器１００を装着した装着対象と実質的に同一であり、発電装置１０の周囲の環境とは、モニタリング機器１００の周囲の環境と実質的に同一である。
【００８２】  具体的には、判断部３０４は、発電信号に含まれる発電装置１０の発電量、または出力電圧などの情報に少なくとも基づいて、発電装置１０の発電状態を判断する。また、判断部３０４は、発電装置１０の発電状態に基づいて、発電装置１０を装着した装着対象、または発電装置１０の周囲の環境の少なくともいずれかの状態を判断する。
【００８３】  例えば、太陽光発電装置である発電装置１０の発電量が多い場合、判断部３０４は、発電装置１０が室外に存在すると判断してもよい。また、振動発電装置である発電装置１０の発電量が多い場合、判断部３０４は、発電装置１０を装着した装着対象が移動または運動していると判断してもよい。さらに、電波発電装置である発電装置１０の発電量が少ない場合、判断部３０４は、電波を発する電子機器および設備が発電装置１０の周囲にないと判断してもよい。
【００８４】  また、発電装置１０が電波発電装置である場合、判断部３０４は、所定の地点に設置された通信設備からビーコン等を発することにより、発電装置１０がビーコンを発した通信設備の近くにいるか否かを判断することも可能である。このような場合、判断部３０４は、発電装置１０の位置に関する情報を取得することができるため、発電装置１０を装着した装着対象、または発電装置１０の周囲の環境の少なくともいずれかの状態をより詳細に判断することができる。
【００８５】  また、判断部３０４は、発電信号に含まれる発電装置１０の発電量、または出力電圧などの情報を微分し、発電量の変化量および変化割合に基づいて、発電装置１０を装着した装着対象、または発電装置１０の周囲の環境の少なくともいずれかの状態を判断してもよい。さらに、判断部３０４は、発電信号に含まれる発電装置１０の発電量、または出力電圧などの情報を積分した値に基づいて、発電装置１０を装着した装着対象、または発電装置１０の周囲の環境の少なくともいずれかの状態を判断してもよい。このような場合、判断部３０４が判断に使用することができる情報の量が増加するため、判断部３０４は、発電装置１０を装着した装着対象、または発電装置１０の周囲の環境の少なくともいずれかの状態をより詳細に判断することができる。
【００８６】  さらに、モニタリング機器１００が、発電装置１０によって発電された電力が閾値を超えた際に発電信号を送信するものである場合、判断部３０４は、発電信号の受信頻度（すなわち、生成間隔）に基づいて、発電装置１０の発電の程度を判断してもよい。発電信号の受信頻度が高い場合、判断部３０４は、発電装置１０による発電量が多いと判断することができる。
【００８７】  また、判断部３０４は、複数の発電装置１０の発電信号を組み合わせることで、発電装置１０を装着した装着対象、または発電装置１０の周囲の環境の少なくともいずれかの状態を判断してもよい。例えば、判断部３０４は、あらかじめ図９に示すような判断テーブルを用意し、発電量が多い発電装置１０の組み合わせに基づいて、発電装置１０を装着した装着対象、または発電装置１０の周囲の環境の少なくともいずれかの状態を判断してもよい。図９は、判断部３０４が発電装置１０を装着した装着対象、または発電装置１０の周囲の環境の少なくともいずれかの状態を判断するための判断テーブルの一例を示した説明図である。
【００８８】  図９に示す判断テーブルでは、発電量が閾値を超えた場合を「１」、発電量が閾値未満である場合を「０」として表現している。ここで、図９において、「ＰＶ１、ＰＶ２」は、太陽光発電装置などの吸収波長および光強度の少なくともいずれかに基づいて発電する発電装置１０での発電量が閾値を超えたか否かを表している。「ＫＮ１、ＫＮ２、ＫＮ３」は、振動・運動発電装置などの共振周波数または振動強度の少なくともいずれかに基づいて発電する発電装置１０での発電量が閾値を超えたか否かを表している。「ＴＥ１、ＴＥ２、ＴＥ３」は、熱電変換発電装置などの熱容量または温度の少なくともいずれかに基づいて発電する発電装置１０での発電量が閾値を超えたか否かを表している。「ＲＥ１」は、電波発電装置などの電波周波数または電波強度の少なくともいずれかに基づいて発電する発電装置１０での発電量が閾値を超えたか否かを表している。
【００８９】  図９で示す判断テーブルでは、発電装置１０の各々にて発電量が閾値を超えたか否かの組み合わせと、どのような装着対象の状態または装着対象の周囲の環境との対応関係を「Ｃａｓｅ１〜ＣａｓｅＮ」として記憶している。このような判断テーブルをあらかじめ記憶している場合、判断部３０４は、該判断テーブルに基づいて、より簡易な情報処理にて、発電装置１０の各々の発電量から発電装置１０を装着した装着対象、または発電装置１０の周囲の環境の少なくともいずれかの状態を判断することができる。
【００９０】  さらに、判断部３０４は、同一の装着対象に装着された発電装置１０における発電量の時間的な変化、または異なる装着対象に装着された発電装置１０における発電量の差に基づいて、発電装置１０を装着した装着対象、または発電装置１０の周囲の環境の少なくともいずれかの状態を判断してもよい。
【００９１】  具体的には、判断部３０４は、同一の装着対象に装着された発電装置１０における発電量と、過去の履歴データと比較し、発電装置１０における発電量が異常値を示した場合、装着対象に異常が発生したと判断してもよい。
【００９２】  また、判断部３０４は、異なる装着対象に装着された発電装置１０における発電量を比較し、他の装着対象に装着された発電装置１０に対して発電量が異常に高いまたは低い場合、装着対象に異常が発生したと判断してもよい。なお、異なる装着対象に装着された発電装置１０は、製造ばらつきによる個体差が存在する可能性があるため、母集団ごとに正規分布、およびヒストグラム等を用いて、発電装置１０の各々における発電量の値を補正してもよい。
【００９３】  さらに、判断部３０４は、発電装置１０の各々の発電量の異常に対して、実際に装着対象にどのような異常が発生していたのかをフィードバックすることで機械学習を行ってもよい。所定量のデータサンプルが蓄積した場合、判断部３０４は、発電装置１０の各々の発電量の異常に対して、どのような異常が装着対象に発生しているのかを自動的に判断することができるようになる。
【００９４】  出力部３０６は、判断部３０４によって生成された信号（例えば、２次信号または３次信号）を情報処理装置３００と有線または無線にて接続された外部機器に出力する。出力部３０６が出力する信号は、例えば、信号を出力した外部機器または該外部機器に搭載されたアプリケーションに対する制御命令であってもよく、これらの制御命令よりも高次の信号であってもよい。例えば、出力部３０６は、装着対象の異常を検出した旨を示すアラート信号を出力してもよい。
【００９５】  出力部３０６は、例えば、ＵＳＢ（Ｕｎｉｖｅｒｓａｌ  Ｓｅｒｉａｌ  Ｂｕｓ）ポート、イーサネット（登録商標）ポート、ＩＥＥＥ８０６７１規格ポート、および光オーディオ端子等のような外部機器と接続するための接続ポートで構成された接続インタフェースであってもよく、有線または無線ＬＡＮ対応通信装置などの通信網５に接続するための通信デバイス等で構成された通信インタフェースであってもよい。
【００９６】  なお、発電信号取得部３０２、判断部３０４、および出力部３０６のすべてまたは一部の機能は、モニタリング機器１００にて実行されてもよい。このような場合、発電信号取得部３０２、判断部３０４、および出力部３０６のすべてまたは一部の機能は、例えば、演算装置３０（３０Ａ、３０Ｂ、３０Ｃ）によって実行されてもよい。
【００９７】  以上にて、本実施形態に係る情報処理システムの機能構成例について詳細に説明した。
【００９８】  ＜２−４．システムの動作例＞  次に、図１０を参照して、本実施形態に係る情報処理システムの動作例について説明する。図１０は、本実施形態に係る情報処理システムの動作例を説明するフローチャート図である。なお、以下で示す情報処理システムの動作例は、あくまでも本実施形態に係る情報処理システムの動作を説明するための一例であって、本実施形態に係る情報処理システムの動作が以下の例に限定されるわけではない。
【００９９】  図１０に示すように、まず、モニタリング機器１００の発電装置１０の各々にて発電が行われる（Ｓ１００）。次に、管理部１０２等は、発電装置１０にて発電された電力に基づいて、発電信号を生成する（Ｓ１０２）。続いて、制御部１０４は、生成された発電信号を情報処理装置３００に送信する（Ｓ１０４）。
【０１００】  また、情報処理装置３００の発電信号取得部３０２は、送信された発電信号を受信する（Ｓ１１０）。次に、判断部３０４は、受信した発電信号に基づいて、発電装置１０を装着する装着対象、または発電装置１０の周囲の環境の少なくともいずれかの状態を判断する（Ｓ１１２）。続いて、判断部３０４は、装着対象または周囲の環境の少なくともいずれかの状態に基づいて、装着対象への対応を判断する（Ｓ１１４）。さらに、出力部３０６は、判断した装着対象への対応に基づいて、外部機器等に装着対象への対応に関する情報を出力する（Ｓ１１４）。
【０１０１】  以上の動作により、本実施形態に係る情報処理システムは、電力を消費する各種センサを用いずに、発電装置による発電に基づいて、発電装置の周囲の環境、または発電装置を装着した装着対象の少なくともいずれかの状態を判断することが可能である。
【０１０２】  ＜２−５．システムの使用例＞  続いて、上述した本実施形態に係る情報処理システムの具体的な使用例について説明する。なお、以下で説明する本実施形態に係る情報処理システムの具体的な使用例は、本実施形態に係る情報処理システムを説明するための例示であって、本実施形態に係る情報処理システムの使用例が以下の例示に限定されるわけではない。
【０１０３】  具体的には、モニタリング機器１００は、発電装置１０として、Ｓｉ系太陽光発電装置、色素増感型太陽光発電装置、圧電発電装置、電磁誘導発電装置、温度差発電装置、熱応答差発電装置、および電波発電装置を備える。また、各発電装置１０には、それぞれ蓄電装置２０、ならびにＭＰＵ（Ｍｉｃｒｏ−Ｐｒｏｃｅｓｓｉｎｇ  Ｕｎｉｔ）等の信号生成装置２２または演算装置３０が独立して接続されている。なお、蓄電装置２０には、全固体二次電池またはキャパシタ等を用いることができ、蓄電装置２０は、発電装置１０にて発電された電力をそれぞれ接続された信号生成装置２２または演算装置３０に対して供給する。
【０１０４】  電力が供給された信号生成装置２２または演算装置３０は、供給された電力を消費することで、電力が供給された回数をいずれかの記憶装置３２、４２に記憶する。また、信号生成装置２２または演算装置３０は、電力供給の有無をＯＮ／ＯＦＦの二値でいずれかの記憶装置３２、４２に記憶してもよい。
【０１０５】  さらに、各信号生成装置２２または演算装置３０には、共通の通信装置４０が接続されている。通信装置４０には、発電装置１０にて発電された電力が、信号生成装置２２または演算装置３０への電力供給の後、蓄電装置２０を介して供給される。各信号生成装置２２または演算装置３０にて生成された電力供給の回数または電力供給の有無に関する情報は、いずれかの記憶装置３２、４２に記憶される。通信装置４０は、通信装置４０が駆動した際に、記憶装置３２、４２に記憶された情報を情報処理装置３００等に送信する。なお、通信装置４０は、電力供給の回数または電力供給の有無に関する情報を送信する際に、モニタリング機器１００に固有の識別情報をさらに情報処理装置３００等に送信してもよい。
【０１０６】  送信された情報を受信した情報処理装置３００は、受信した情報を演算処理することにより、さらに２次信号および３次信号を生成する。さらに、情報処理装置３００は、２次信号および３次信号として、外部機器および外部機器に搭載されたアプリケーションに応じた分析結果、および分析結果に伴う制御命令を出力する。
【０１０７】  （２−５−１．第１の使用例）  例えば、本実施形態に係る情報処理システムの第１の使用例は、災害、事件、事故、または遭難等に遭遇した被災者または被害者の居場所を捜索する捜索システムである。
【０１０８】  例えば、情報処理装置３００は、モニタリング機器１００が備える太陽光発電装置、振動発電装置、熱電変換発電装置、電波発電装置、および酵素発電装置などの各発電装置１０にて、信号生成に十分な電力が発電されたか否かという１次信号を得ることができる。情報処理装置３００は、取得した１次信号に基づいて、モニタリング機器１００を装着した装着対象の状態、またはモニタリング機器１００の周囲の環境に関する２次信号を生成することができる。
【０１０９】  具体的には、太陽光発電装置が信号生成に十分な発電をしており、信号が生成されており、かつ昼夜によって信号生成の有無が変化する場合、情報処理装置３００は、装着対象の周囲の環境が日陰ではなく日向であり、かつ装着対象と太陽との間に遮る物が少ない、またはないという２次信号を生成することができる。また、振動発電装置が信号生成に十分な発電をしておらず、信号が生成されていない場合、情報処理装置３００は、装着対象の活動量が低下しているという２次信号を生成することができる。
【０１１０】  また、熱電変換発電装置が信号生成に十分な発電をしており、信号が生成されている場合、情報処理装置３００は、装着対象にて代謝が行われており、生命活動しているという２次信号を生成することができる。また、電波発電装置が信号生成に十分な発電をしておらず、信号が生成されていない場合、情報処理装置３００は、装着対象の周囲の環境には、電波を発する電子機器または電波を発するインフラ設備が存在しないという２次信号を生成することができる。さらに、酵素発電装置が信号生成に十分な発電をしておらず、信号が生成されていない場合、情報処理装置３００は、装着対象の血糖値が低下している、または装着対象の周囲の環境に栄養になるものがないという２次信号を生成することができる。
【０１１１】  さらに、情報処理装置３００は、上述したような２次信号群に基づいて、演算処理によってさらに３次信号を生成してもよい。３次信号は、例えば、装着対象の救助が急ぎ必要である旨、装着対象の救助が急ぎではないが必要である旨、および装着対象の救助が必要ではない旨等の救助の優先順位付けがなされた信号であってもよい。
【０１１２】  なお、発電装置１０において、発電可能な条件は、発電装置１０の材料および形状によって異なる。例えば、太陽光発電装置であれば発電可能な吸収波長、振動発電装置であれば発電可能な共振周波数、熱電変換発電装置であれば発電可能な温度範囲および熱容量、酵素発電装置であれば発電可能な物質、電波発電装置であれば発電可能な吸収波長は、発電装置１０の材料および形状によって異なる。そのため、太陽光発電装置であれば、Ｓｉ系太陽発電装置、および色素増感型太陽光発電装置を併用するなど、同じ発電方法であっても複数の種類の発電装置１０を用いることで、装着対象の状態、または装着対象の周囲の環境の少なくともいずれかをより複雑に検出および表現することが可能である。
【０１１３】  （２−５−２．第２の使用例）  例えば、本実施形態に係る情報処理システムの第２の使用例は、モニタリング機器１００の装着対象が生体ではなく遺失物であり、該遺失物の状態および周囲の環境を把握する遺失物捜索システムである。
【０１１４】  例えば、情報処理装置３００は、モニタリング機器１００が備える太陽光発電装置、振動発電装置、熱電変換発電装置、および電波発電装置などの各発電装置１０にて、信号生成に十分な電力が発電されたか否かという１次信号を得ることができる。情報処理装置３００は、取得した１次信号に基づいて、モニタリング機器１００が装着された装着対象（すなわち、遺失物）の状態、またはモニタリング機器１００の周囲の環境に関する２次信号を生成することができる。
【０１１５】  具体的には、太陽光発電装置が信号生成に十分な発電をしており、信号が生成されており、かつ昼夜によって信号生成の有無が変化する場合、情報処理装置３００は、装着対象の周囲の環境が日陰ではなく日向であり、かつ装着対象と太陽との間に遮る物が少ない、またはないという２次信号を生成することができる。また、振動発電装置が信号生成に十分な発電をしておらず、信号が生成されていない場合、情報処理装置３００は、装着対象が移動体の中になく移動していない、または装着対象の近くに振動発電装置の共振周波数になるような振動源がないという２次信号を生成することができる。
【０１１６】  また、熱電変換発電装置が信号生成に十分な発電をしており、信号が生成されている場合、情報処理装置３００は、装着対象のいずれかの面が熱容量の異なるものに接触している、または他者が身に付けているなどの温度差が存在する環境下にあるという２次信号を生成することができる。また、電波発電装置が信号生成に十分な発電をしておらず、信号が生成されていない場合、情報処理装置３００は、装着対象の周囲の環境には、電波を発する電子機器または電波を発するインフラ設備が存在しないという２次信号を生成することができる。
【０１１７】  さらに、情報処理装置３００は、上述したような２次信号群に基づいて、演算処理によってさらに３次信号を生成してもよい。３次信号は、例えば、遺失物がどのような環境下にあるかという情報、遺失物が盗難されていることを通報する情報、遺失物に収納されていた貴重品に関する保険金支払額を決める等級に関する情報を含むものであってもよい。
【０１１８】  なお、発電装置１０において、発電可能な条件は、発電装置１０の材料および形状によって異なる。例えば、太陽光発電装置であれば発電可能な吸収波長、振動発電装置であれば発電可能な共振周波数、熱電変換発電装置であれば発電可能な温度範囲および熱容量、電波発電装置であれば発電可能な吸収波長は、発電装置１０の材料および形状によって異なる。そのため、太陽光発電装置であれば、Ｓｉ系太陽発電装置、および色素増感型太陽光発電装置を併用するなど、同じ発電方法であっても複数の種類の発電装置１０を用いることで、装着対象の状態、または装着対象の周囲の環境の少なくともいずれかをより複雑に検出および表現することが可能である。
【０１１９】  （２−６．情報処理システムの具体例）  さらに、図１１〜図２５を参照して、上述した本実施形態に係る情報処理システムの具体例について詳述する。図１１は、本実施形態に係る情報処理システムの具体的なシステム構成を説明する説明図である。
【０１２０】  図１１に示すように、本実施形態に係る情報処理システムは、例えば、小型のタグ状のモニタリング機器１００と、モニタリング機器１００からの発電信号を受信する受信機器２００と、受信機器２００と通信網５を介して接続された情報処理装置３００と、モニタリング機器１００からの情報をユーザに提示するための表示装置４００Ａ、４００Ｂとを備える。
【０１２１】  モニタリング機器１００と、受信機器２００との間の通信方式は、どのようなものであってもよい。使用可能な通信方式としては、例えば、１３．５６ＭＨｚの周波数を用いて数ｃｍ程度の近接通信を行うＮＦＣ（Ｎｅａｒ  Ｆｅｉｌｄ  Ｃｏｍｍｕｎｉｃａｔｉｏｎ）などの通信方式、２．４ＧＨｚの周波数を用いて５０ｍ程度までの通信を行うＷｉ−Ｆｉ、Ｂｌｕｅｔｏｏｔｈ、およびＢＬＥ（Ｂｌｕｅｔｏｏｔｈ  Ｌｏｗ  Ｅｎｅｒｇｙ）などの通信方式、９２０ＭＨｚの周波数を用いて１ｋｍ程度までの通信を行う通信方式などを例示することができる。
【０１２２】  また、本実施形態に係る情報処理システムでは、複数のモニタリング機器１００同士で通信を行い、モニタリング機器１００を通信の中継機として使用してもよい。このような場合、例えば、モニタリング機器１００の間の通信には、比較的長距離の通信が可能な９２０ＭＨｚの周波数による通信方式を用い、受信機器２００と、モニタリング機器１００との間の通信には、比較的近距離の通信が可能なＮＦＣ、ＢＬＥ、およびＵＳＢなどの有線または無線の通信法式を用いるなど、役割に応じて最適な通信方式を選択することができる。
【０１２３】  例えば、受信機器２００が携帯電話、スマートフォン、タブレット端末、ゲートウェイ装置、またはノート型パーソナルコンピュータ等であり、受信機器２００とモニタリング機器１００とがＵＳＢにて接続されている場合、モニタリング機器１００は、通信に必要な電力を受信機器２００から受け取ることができる。また、受信機器２００は、モニタリング機器１００と通信するための通信インタフェースを備えず、ＵＳＢにて接続されたモニタリング機器１００を介してモニタリング機器１００と通信してもよい。
【０１２４】  また、受信機器２００は、インターネット、衛星通信網、電話回線網、および移動体通信網（例えば、３Ｇ回線網、４Ｇ回線網など）等の通信網５に接続しており、モニタリング機器１００から受信した発電信号を情報処理装置３００に送信する。
【０１２５】  情報処理装置３００は、受信した発電信号に基づいて上述した情報処理を行うことにより、モニタリング機器１００を装着した装着対象、またはモニタリング機器１００の周囲の環境の少なくともいずれかの状態を判断することが可能である。
【０１２６】  なお、情報処理装置３００が判断したモニタリング機器１００を装着した装着対象、またはモニタリング機器１００の周囲の環境の少なくともいずれかの状態は、例えば、携帯電話、スマートフォン、タブレット端末、ノート型パーソナルコンピュータ、およびテレビジョン装置などの表示装置４００Ａ、４００Ｂなどにて確認することが可能である。
【０１２７】  このような構成により、本実施形態に係る情報処理システムは、モニタリング機器１００が装着された装着対象、またはモニタリング機器１００の周囲の環境の少なくともいずれかの状態を判断し、装着対象の各々を管理することが可能である。また、情報処理装置３００は、受信機器２００を介してモニタリング機器１００からの発電信号を受信することにより、多くのモニタリング機器１００が広域にわたって存在する場合でも、モニタリング機器１００の各々から発電信号を受信することが可能である。
【０１２８】  例えば、本実施形態に係る情報処理システムは、物流における配送物の管理、家畜およびペットなどの動物の管理、高齢者、認知症患者、子供および一般成人などの見守り、ならびにアトラクションなどのエンターテイメントの用途に用いることが可能である。
【０１２９】  本実施形態に係る情報処理システムが物流における配送物の管理に用いられる場合、例えば、モニタリング機器１００は、配送物の管理タグであり、受信機器２００は、各物流拠点等に設置される。
【０１３０】  また、本実施形態に係る情報処理システムが家畜（例えば、牛）などの管理に用いられる場合、例えば、モニタリング機器１００は、家畜に装着される捜索タグであり、受信機器２００は、放牧地、畜舎、水飲み場、搾乳場、餌場、および事務所等に設置される。
【０１３１】  また、本実施形態に係る情報処理システムが人の見守り用途に用いられる場合、例えば、モニタリング機器１００は、人に装着される捜索タグまたは見守りタグであり、受信機器２００は、公園、学校、役所、警察署、公民館、美術館、公的学童施設、および病院などの公的施設、工場、デパート、モール、アトラクション施設、民間学童施設、および塾などの民間施設、ならびに駅、バス停、交差点、信号機、港、空港、山小屋および登山口などの移動起点などに設置される。また、受信機器２００は、自宅、上記の各施設内の各領域、およびモニタリングポイントなどの任意の場所に設置されてもよい。
【０１３２】  さらに、本実施形態に係る情報処理システムがアトラクションなどのエンターテイメント用途に用いられる場合、受信機器２００は、エンターテインメント施設、アトラクション施設、およびこれらの施設内の各会場、モニタリングポイント、イベント発生ポイント（すなわち、その場所を通過する、またはその場所に到達することで、イベントが発生する場所）に設置される。また、受信機器２００は、エンターテイメント施設、およびアトラクション施設ではない公園、公道、一般施設、野山、川、湖、沼、および海などの自然空間に設置されてもよく、これらの受信機器２００が設置された場所をモニタリングポイント、またはイベント発生ポイントとしてもよい。このような場合、あらゆる空間をアトラクションまたはイベント等のエンターテイメントを提供する場とすることができる。
【０１３３】  また、モニタリング機器１００は、情報処理装置３００等において、装着対象に関する情報と紐付けられて登録されていてもよい。例えば、装着対象が家畜である場合、モニタリング機器１００の識別情報は、装着対象である家畜の個体識別番号、所属する群れ、体の斑紋、および飼育履歴などの情報と紐付けられて登録されてもよい。また、装着対象が人である場合、モニタリング機器１００の識別情報は、装着対象である人の氏名、年齢、住所、顔写真、既往症、投薬履歴などの情報と紐付けられて登録されてもよい。
【０１３４】  また、受信機器２００の識別情報についても、同様に、情報処理装置３００等に登録されていてもよい。例えば、受信機器２００の識別情報は、受信機器２００が備える通信装置の識別情報、受信機器２００の位置、および受信機器２００の役割と紐付けられて登録されていてもよい。
【０１３５】  なお、装着対象が人である場合、プライバシー保護等の観点から、登録されたモニタリング機器１００および受信機器２００に関する情報は、高い情報セキュリティにて保護されていてもよい。例えば、モニタリング機器１００および受信機器２００の登録情報への情報照会等のためのアクセス権限が設定されていてもよく、モニタリング機器１００および受信機器２００の登録情報の暗号化が行われてもよい。また、モニタリング機器１００および受信機器２００の登録情報は、一元管理されていてもよい。
【０１３６】  さらに、図１２および図１３を参照して、装着対象が家畜である場合における本実施形態に係る情報処理システムの具体的な構成について説明する。図１２は、装着対象が家畜である場合の情報処理システムの具体的な構成を示す説明図であり、図１３は、装着対象が家畜である場合のモニタリング機器１００の装着例を示す説明図である。
【０１３７】  図１２および図１３に示すように、装着対象が家畜である場合、モニタリング機器１００は、例えば、コイン形状に形成され、家畜に装着するためのカバーに収納される。また、モニタリング機器１００は、例えば、牛などの家畜の体の一部に装着される。
【０１３８】  受信機器２００は、例えば、塔頂に通信モジュールを備える円柱形状の杭として形成される。また、受信機器２００は、容易に地面に設置することができるように下端が尖った形状にて形成されてもよい。受信機器２００は、例えば、モニタリング機器１００からの信号を漏れなく受信できるように、適切な間隔にて放牧地などの地面に打ち込まれて設置されてもよい。
【０１３９】  モニタリング機器１００から送信された発電信号は、まず、受信機器２００によって受信され、次に受信機器２００から情報処理装置３００に送信される。情報処理装置３００は、受信した発電信号に基づいて、モニタリング機器１００を装着した家畜、またはモニタリング機器１００の周囲の環境の少なくともいずれかの状態を判断する。また、情報処理装置３００は、家畜、または周囲の環境の少なくともいずれかの状態に関して判断した情報を管理し、管理している情報を参照するための表示を生成する。これにより、ユーザは、携帯電話、スマートフォン、タブレット端末、ノート型パーソナルコンピュータ等の表示部を備えるデバイスを用いて、情報処理装置３００が生成した表示を参照することで、モニタリング機器１００を装着した家畜の状態を一元的に管理することが可能である。
【０１４０】  次に、図１４〜図２５を参照して、上述した情報処理システムの具体的な動作例について説明する。
【０１４１】  まず、図１４〜図１８を参照して、情報処理装置３００がモニタリング機器１００の発電信号を用いて、装着対象の状態を判定する際の動作について説明する。図１４〜図１８は、モニタリング機器１００の発電信号を用いて、装着対象の状態を判定する動作を説明するフローチャート図である。
【０１４２】  図１４に示すように、まず、情報処理装置３００は、モニタリング機器１００における通信プロトコル、発電量の監視間隔、および発電量の判定条件等の初期設定を行う（Ｓ２００）。次に、情報処理装置３００は、モニタリング機器１００の発電状態の監視を開始する（Ｓ２０１）。ここで、情報処理装置３００は、設定された監視間隔にてモニタリング機器１００での発電量に関する情報を取得する（Ｓ２０２）。続いて、情報処理装置３００は、モニタリング機器１００での発電量が判定条件を満たすか否かを判定する（Ｓ２０３）。発電量が判定条件を満たす場合（Ｓ２０３／Ｙｅｓ）、情報処理装置３００は、装着対象の状態を所定の状態１であると判定する（Ｓ２０４）。一方、発電量が判定条件を満たさない場合（Ｓ２０３／Ｎｏ）、情報処理装置３００は、装着対象の状態を所定の状態２であると判定する（Ｓ２０５）。なお、情報処理装置３００は、モニタリング機器１００の発電状態の監視が終了するまで、Ｓ２０２〜Ｓ２０５の動作を繰り返す。
【０１４３】  また、情報処理装置３００は、モニタリング機器１００の発電量の変化量が閾値以上となった場合に限り、装着対象の状態判定を行ってもよい。
【０１４４】  具体的には、図１５に示すように、まず、情報処理装置３００は、モニタリング機器１００における通信プロトコル、発電量の監視間隔、発電量の変化量の閾値、および発電量の判定条件等の初期設定を行う（Ｓ２１０）。次に、情報処理装置３００は、モニタリング機器１００の発電状態の監視を開始する（Ｓ２１１）。ここで、情報処理装置３００は、設定された監視間隔にてモニタリング機器１００での発電量に関する情報を取得する（Ｓ２１２）。続いて、情報処理装置３００は、モニタリング機器１００での発電量の変化量が閾値以上であるか否かを判断する（Ｓ２１３）。発電量の変化量が閾値に満たない場合（Ｓ２１３／Ｎｏ）、情報処理装置３００は、発電状態の監視（Ｓ２１２）に戻り、装着対象の状態判定を行わない。
【０１４５】  一方、発電量の変化量が閾値以上である場合（Ｓ２１３／Ｙｅｓ）、情報処理装置３００は、モニタリング機器１００での発電量が判定条件を満たすか否かを判定する（Ｓ２１４）。発電量が判定条件を満たす場合（Ｓ２１４／Ｙｅｓ）、情報処理装置３００は、装着対象の状態を所定の状態１であると判定する（Ｓ２１５）。一方、発電量が判定条件を満たさない場合（Ｓ２１４／Ｎｏ）、情報処理装置３００は、装着対象の状態を所定の状態２であると判定する（Ｓ２１６）。なお、情報処理装置３００は、モニタリング機器１００の発電状態の監視が終了するまで、Ｓ２１２〜Ｓ２１６の動作を繰り返す。
【０１４６】  さらに、情報処理装置３００は、複数の判定条件を用いて、装着対象の状態判定を行ってもよい。
【０１４７】  具体的には、図１６に示すように、まず、情報処理装置３００は、モニタリング機器１００における通信プロトコル、発電量の監視間隔、発電量の変化量の閾値、および発電量の判定条件等の初期設定を行う（Ｓ２２０）。次に、情報処理装置３００は、モニタリング機器１００の発電状態の監視を開始する（Ｓ２２１）。ここで、情報処理装置３００は、設定された監視間隔にてモニタリング機器１００での発電量に関する情報を取得する（Ｓ２２２）。続いて、情報処理装置３００は、モニタリング機器１００での発電量の変化量が閾値以上であるか否かを判断する（Ｓ２２３）。発電量の変化量が閾値に満たない場合（Ｓ２２３／Ｎｏ）、情報処理装置３００は、発電状態の監視（Ｓ２２２）に戻り、装着対象の状態判定を行わない。
【０１４８】  一方、発電量の変化量が閾値以上である場合（Ｓ２２３／Ｙｅｓ）、情報処理装置３００は、モニタリング機器１００での発電量が条件１〜条件３のいずれの判定条件を満たすかを判定する（Ｓ２２４）。発電量が条件１を満たす場合（Ｓ２２４／条件１）、情報処理装置３００は、装着対象の状態を所定の状態１であると判定する（Ｓ２２５）。また、発電量が条件２を満たす場合（Ｓ２２４／条件２）、情報処理装置３００は、装着対象の状態を所定の状態２であると判定する（Ｓ２２６）。また、発電量が条件３を満たす場合（Ｓ２２４／条件３）、情報処理装置３００は、装着対象の状態を所定の状態３であると判定する（Ｓ２２７）。なお、情報処理装置３００は、モニタリング機器１００の発電状態の監視が終了するまで、Ｓ２２２〜Ｓ２２７の動作を繰り返す。
【０１４９】  また、情報処理装置３００は、装着対象の状態判定に加えて、モニタリング機器１００の異常を検出する異常判定条件を用いて、モニタリング機器１００にて異常が発生したか否かを判定してもよい。
【０１５０】  具体的には、図１７に示すように、まず、情報処理装置３００は、モニタリング機器１００における通信プロトコル、発電量の監視間隔、発電量の変化量の閾値、および発電量の判定条件、異常判定条件等の初期設定を行う（Ｓ２３０）。次に、情報処理装置３００は、モニタリング機器１００の発電状態の監視を開始する（Ｓ２３１）。ここで、情報処理装置３００は、設定された監視間隔にてモニタリング機器１００での発電量に関する情報を取得する（Ｓ２３２）。続いて、情報処理装置３００は、モニタリング機器１００での発電量の変化量が閾値以上であるか否かを判断する（Ｓ２３３）。発電量の変化量が閾値に満たない場合（Ｓ２３３／Ｎｏ）、情報処理装置３００は、発電状態の監視（Ｓ２３２）に戻り、装着対象の状態判定を行わない。
【０１５１】  一方、発電量の変化量が閾値以上である場合（Ｓ２３３／Ｙｅｓ）、情報処理装置３００は、モニタリング機器１００での発電量が条件１、条件２、または異常判定条件のいずれの判定条件を満たすかを判定する（Ｓ２３４）。発電量が条件１を満たす場合（Ｓ２３４／条件１）、情報処理装置３００は、装着対象の状態を所定の状態１であると判定する（Ｓ２３５）。また、発電量が条件２を満たす場合（Ｓ２３４／条件２）、情報処理装置３００は、装着対象の状態を所定の状態２であると判定する（Ｓ２３６）。モニタリング機器１００にて異常が発生していない場合、情報処理装置３００は、モニタリング機器１００の発電状態の監視が終了するまで、Ｓ２３２〜Ｓ２２５の動作を繰り返す。
【０１５２】  一方、発電量が異常判定条件を満たす場合（Ｓ２３４／異常判定条件）、情報処理装置３００は、モニタリング機器１００にて異常が発生したと判定し、異常信号を生成する（Ｓ２３７）。続いて、情報処理装置３００は、異常信号を送信し、ユーザにモニタリング機器１００にて異常が発生したことを通知する（Ｓ２３８）。この場合、情報処理装置３００は、モニタリング機器１００の発電状態の監視を終了する。
【０１５３】  続いて、図１９〜図２１を参照して、情報処理システムにおいて、モニタリング機器１００からの発電信号に基づいて、モニタリング機器１００の周囲の環境の変化を判断する動作について説明する。図１９〜図２１は、モニタリング機器１００からの発電信号に基づいて、モニタリング機器１００の周囲の環境の変化を判断する動作を説明するシーケンス図である。
【０１５４】  図１９に示すように、まず、モニタリング機器１００において、所定の発電量が蓄えられ、発電信号が送信可能になる（Ｓ３００）。これにより、モニタリング機器１００は、発電信号を受信機器２００に送信し（Ｓ３０１）、発電信号を受信した受信機器２００は、受信した発電信号に基づいて、モニタリング機器１００の周囲の環境が変化したか否かを判断する（Ｓ３０２）。モニタリング機器１００の周囲の環境が変化したと判断された場合、受信機器２００は、周囲の環境の変化に関する情報をモニタリング機器１００に送信し（Ｓ３０３）、該情報を受信したモニタリング機器１００は、内部に記憶されていた周囲の環境に関する情報を変更する（Ｓ３０４）。
【０１５５】  続いて、図２０を参照して、図１９にて説明したモニタリング機器１００の周囲の環境の変化を判断する動作について、より具体的に説明する。
【０１５６】  図２０に示すように、まず、モニタリング機器１００において、所定の発電量が蓄えられ、発電信号が送信可能になる（Ｓ３１０）。これにより、モニタリング機器１００は、発電信号を受信機器２００に送信し（Ｓ３１１）、発電信号を受信した受信機器２００は、受信した発電信号の通信プロトコルが受信機器２００の通信領域外で使用される通信プロトコルか否かを判断する（Ｓ３１２）。発電信号の通信プロトコルが受信機器２００の通信領域外で使用される通信プロトコルであると判断された場合、受信機器２００は、モニタリング機器１００に通信プロトコルの変更指示を送信し（Ｓ３１３）、該情報を受信したモニタリング機器１００は、通信プロトコルを変更する（Ｓ３１４）。
【０１５７】  このような場合、受信機器２００は、送信される発電信号の通信プロトコルをすべて同じ通信プロトコルに制御することができるため、発電信号の前提条件をそろえることができる。
【０１５８】  また、受信機器２００は、モニタリング機器１００、またはモニタリング機器１００が装着された対象の場所を通信プロトコルから特定してもよい。また、受信機器２００は、送信される発電信号の通信プロトコルをモニタリング機器１００の周囲の環境を特定するための情報として使用してもよい。
【０１５９】  また、モニタリング機器１００の周囲の環境の変化に関する情報は、モニタリング機器１００ではなく、情報処理装置３００に送信されてもよい。
【０１６０】  具体的には、図２０に示すように、まず、モニタリング機器１００において、所定の発電量が蓄えられ、発電信号が送信可能になる（Ｓ３２０）。これにより、モニタリング機器１００は、発電信号を受信機器２００に送信する（Ｓ３２１）。発電信号を受信した受信機器２００は、受信した発電信号に基づいて、モニタリング機器１００の周囲の環境が変化したか否かを判断する（Ｓ３２２）。
【０１６１】  モニタリング機器１００の周囲の環境が変化したと判断された場合、受信機器２００は、モニタリング機器１００の周囲の環境の変化に関する情報と、発電信号とを情報処理装置３００に送信する（Ｓ３２３）。なお、モニタリング機器１００の周囲の環境が変化していないと判断された場合、受信機器２００は、発電信号のみを情報処理装置３００に送信する。
【０１６２】  情報処理装置３００は、受信したモニタリング機器１００の周囲の環境の変化に関する情報に基づいて、発電信号を送信したモニタリング機器１００における周囲の環境に関する情報を変更する（Ｓ３２４）。
【０１６３】  このような場合、情報処理システムは、モニタリング機器１００に記憶された情報を変更することなく、情報処理装置３００にてモニタリング機器１００の周囲の環境が変化したことを把握することができる。
【０１６４】  さらに、モニタリング機器１００の周囲の環境の変化に関する情報は、モニタリング機器１００と、情報処理装置３００との両方に送信されてもよい。
【０１６５】  具体的には、図２１に示すように、まず、モニタリング機器１００において、所定の発電量が蓄えられ、発電信号が送信可能になる（Ｓ３３０）。これにより、モニタリング機器１００は、発電信号を受信機器２００に送信し（Ｓ３３１）、発電信号を受信した受信機器２００は、受信した発電信号に基づいて、モニタリング機器１００の周囲の環境が変化したか否かを判断する（Ｓ３３２）。
【０１６６】  モニタリング機器１００の周囲の環境が変化したと判断された場合、受信機器２００は、周囲の環境の変化に関する情報をモニタリング機器１００に送信し（Ｓ３３３）、かつモニタリング機器１００の周囲の環境の変化に関する情報と、発電信号とを情報処理装置３００に送信する（Ｓ３３５）。これにより、該情報を受信したモニタリング機器１００は、内部に記憶されていた周囲の環境に関する情報を変更し（Ｓ３３４）、該情報を受信した情報処理装置３００は、発電信号を送信したモニタリング機器１００における周囲の環境に関する情報を変更する（Ｓ３３６）。
【０１６７】  このような場合、モニタリング機器１００の周囲の環境の変化に関する情報をモニタリング機器１００と、情報処理装置３００との双方にて記憶することができるため、記憶された情報の整合性を高めることができる。
【０１６８】  次に、図２２〜図２４を参照して、モニタリング機器１００の発電信号と、受信機器２００の周囲の環境の変化に関する情報とを用いて、装着対象の状態を判定する動作について説明する。図２２〜図２４は、モニタリング機器１００の発電信号と、受信機器２００の周囲の環境の変化に関する情報とを用いて、装着対象の状態を判定する動作を説明するフローチャート図である。
【０１６９】  図２２に示すフローチャートは、例えば、図１５で示したフローチャートのＳ２１２と、Ｓ２１３との間にモニタリング機器の周囲環境を判断する動作（Ｓ４０３）が挿入された動作例である。なお、モニタリング機器１００の周囲環境を判断する動作（Ｓ４０３）とは、例えば、図２０におけるＳ３２２〜Ｓ３２４の動作である。
【０１７０】  図２２に示すように、まず、情報処理装置３００は、モニタリング機器１００における通信プロトコル、発電量の監視間隔、発電量の変化量の閾値、および発電量の判定条件等の初期設定を行う（Ｓ４００）。次に、情報処理装置３００は、モニタリング機器１００の発電状態の監視を開始する（Ｓ４０１）。ここで、情報処理装置３００は、設定された監視間隔にてモニタリング機器１００での発電量に関する情報を取得する（Ｓ４０２）。ここで、情報処理装置３００は、モニタリング機器１００の周囲の環境の変化に関する情報を取得し、モニタリング機器１００の周囲の環境の状態を判断する（Ｓ４０３）。
【０１７１】  続いて、情報処理装置３００は、モニタリング機器１００での発電量の変化量が閾値以上であるか否かを判断する（Ｓ４０４）。発電量の変化量が閾値に満たない場合（Ｓ４０４／Ｎｏ）、情報処理装置３００は、発電状態の監視（Ｓ４０２）に戻り、装着対象の状態判定を行わない。
【０１７２】  一方、発電量の変化量が閾値以上である場合（Ｓ４０４／Ｙｅｓ）、情報処理装置３００は、モニタリング機器１００での発電量が判定条件を満たすか否かを判定する（Ｓ４０５）。発電量が判定条件を満たす場合（Ｓ４０５／Ｙｅｓ）、情報処理装置３００は、さらにモニタリング機器１００の周囲の環境の状態に基づいて、装着対象の状態を所定の状態１であると判定する（Ｓ４０６）。一方、発電量が判定条件を満たさない場合（Ｓ４０５／Ｎｏ）、情報処理装置３００は、さらにモニタリング機器１００の周囲の環境の状態に基づいて、装着対象の状態を所定の状態２であると判定する（Ｓ４０６）。なお、情報処理装置３００は、モニタリング機器１００の発電状態の監視が終了するまで、Ｓ４０２〜Ｓ４０７の動作を繰り返す。
【０１７３】  また、情報処理装置３００は、モニタリング機器１００の発電量が閾値以上となった場合に限り、装着対象の状態判定を行ってもよい。
【０１７４】  具体的には、図２３に示すように、まず、情報処理装置３００は、モニタリング機器１００における通信プロトコル、発電量の監視間隔、発電量の閾値、および発電量の判定条件等の初期設定を行う（Ｓ４１０）。次に、情報処理装置３００は、モニタリング機器１００の発電状態の監視を開始する（Ｓ４１１）。ここで、情報処理装置３００は、設定された監視間隔にてモニタリング機器１００での発電量に関する情報を取得する（Ｓ４１２）。ここで、情報処理装置３００は、モニタリング機器１００の周囲の環境の変化に関する情報を取得し、モニタリング機器１００の周囲の環境の状態を判断する（Ｓ４１３）。
【０１７５】  続いて、情報処理装置３００は、モニタリング機器１００での発電量が閾値以上であるか否かを判断する（Ｓ４１４）。発電量が閾値に満たない場合（Ｓ４１４／Ｎｏ）、情報処理装置３００は、発電状態の監視（Ｓ４１２）に戻り、装着対象の状態判定を行わない。
【０１７６】  一方、発電量が閾値以上である場合（Ｓ４１４／Ｙｅｓ）、情報処理装置３００は、モニタリング機器１００での発電量が判定条件を満たすか否かを判定する（Ｓ４１５）。発電量が判定条件を満たす場合（Ｓ４１５／Ｙｅｓ）、情報処理装置３００は、例えば、さらにモニタリング機器１００の周囲の環境の状態に基づいて、装着対象の状態を所定の状態１であると判定する（Ｓ４１６）。一方、発電量が判定条件を満たさない場合（Ｓ４１５／Ｎｏ）、情報処理装置３００は、さらにモニタリング機器１００の周囲の環境の状態に基づいて、装着対象の状態を所定の状態２であると判定する（Ｓ４１６）。なお、情報処理装置３００は、モニタリング機器１００の発電状態の監視が終了するまで、Ｓ４１２〜Ｓ４１７の動作を繰り返す。
【０１７７】  このようにモニタリング機器１００での発電量が判定条件を満たしているか否かを判断する前に、モニタリング機器１００の周囲環境を判断する動作を行う場合、モニタリング機器１００の周囲環境を判断する動作の回数を増加させることができる。したがって、情報処理装置３００は、モニタリング機器１００の周囲環境をより正確に判断することが可能になる。
【０１７８】  また、情報処理装置３００は、モニタリング機器１００での発電量が判定条件を満たす場合に、モニタリング機器１００の周囲環境が変化したと推定し、モニタリング機器１００の周囲環境を判断する動作を行ってもよい。なお、モニタリング機器１００の周囲環境を判断する動作（Ｓ４２５）とは、例えば、図２０におけるＳ３２２〜Ｓ３２４の動作である。
【０１７９】  具体的には、図２４に示すように、まず、情報処理装置３００は、モニタリング機器１００における通信プロトコル、発電量の監視間隔、発電量の変化量の閾値、および発電量の判定条件等の初期設定を行う（Ｓ４２０）。次に、情報処理装置３００は、モニタリング機器１００の発電状態の監視を開始する（Ｓ４２１）。ここで、情報処理装置３００は、設定された監視間隔にてモニタリング機器１００での発電量に関する情報を取得する（Ｓ４２２）。
【０１８０】  続いて、情報処理装置３００は、モニタリング機器１００での発電量の変化量が閾値以上であるか否かを判断する（Ｓ４２２）。発電量の変化量が閾値に満たない場合（Ｓ４２２／Ｎｏ）、情報処理装置３００は、発電状態の監視（Ｓ４２２）に戻り、装着対象の状態判定を行わない。
【０１８１】  一方、発電量の変化量が閾値以上である場合（Ｓ４２３／Ｙｅｓ）、情報処理装置３００は、モニタリング機器１００での発電量が所定の条件を満たすか否か判断する（Ｓ４２４）。発電量が所定の条件を満たす場合（Ｓ４２４／Ｙｅｓ）、情報処理装置３００は、モニタリング機器１００の周囲の環境が変化したと推定し、モニタリング機器１００の周囲の環境の状態を判断する（Ｓ４２５）。
【０１８２】  発電量が所定の条件を満たさない場合（Ｓ４２４／Ｎｏ）、情報処理装置３００は、モニタリング機器１００の周囲の環境が変化していないと推定し、モニタリング機器１００での発電量に基づいて、装着対象の状態を判定する（Ｓ４２６）。なお、情報処理装置３００は、モニタリング機器１００の発電状態の監視が終了するまで、Ｓ４２２〜Ｓ４２６の動作を繰り返す。
【０１８３】  また、情報処理装置３００は、モニタリング機器１００の発電量が閾値以上となった場合に限り、装着対象の状態判定を行ってもよい。
【０１８４】  具体的には、図２５に示すように、まず、情報処理装置３００は、モニタリング機器１００における通信プロトコル、発電量の監視間隔、発電量の閾値、および発電量の判定条件等の初期設定を行う（Ｓ４３０）。次に、情報処理装置３００は、モニタリング機器１００の発電状態の監視を開始する（Ｓ４３１）。ここで、情報処理装置３００は、設定された監視間隔にてモニタリング機器１００での発電量に関する情報を取得する（Ｓ４３２）。
【０１８５】  続いて、情報処理装置３００は、モニタリング機器１００での発電量が閾値以上であるか否かを判断する（Ｓ４３３）。発電量が閾値に満たない場合（Ｓ４３３／Ｎｏ）、情報処理装置３００は、発電状態の監視（Ｓ４３２）に戻り、装着対象の状態判定を行わない。
【０１８６】  一方、発電量が閾値以上である場合（Ｓ４３３／Ｙｅｓ）、情報処理装置３００は、モニタリング機器１００での発電量が所定の条件を満たすか否か判断する（Ｓ４３４）。発電量が所定の条件を満たす場合（Ｓ４３４／Ｙｅｓ）、情報処理装置３００は、モニタリング機器１００の周囲の環境が変化したと推定し、モニタリング機器１００の周囲の環境の状態を判断する（Ｓ４３５）。
【０１８７】  発電量が所定の条件を満たさない場合（Ｓ４３４／Ｎｏ）、情報処理装置３００は、モニタリング機器１００の周囲の環境が変化していないと推定し、モニタリング機器１００での発電量に基づいて、装着対象の状態を判定する（Ｓ４３６）。なお、情報処理装置３００は、モニタリング機器１００の発電状態の監視が終了するまで、Ｓ４３２〜Ｓ４３６の動作を繰り返す。
【０１８８】  このようにモニタリング機器１００での発電量が所定の条件を満たしているか否かを判断した後に、モニタリング機器１００の周囲環境を判断する動作を行う場合、モニタリング機器１００の周囲環境を判断する動作の回数を削減することができる。したがって、情報処理装置３００において、情報処理量および消費電力を削減することができる。
【０１８９】  ＜＜３．情報処理装置のハードウェア構成例＞＞  以下では、図２６を参照して、本実施形態に係る情報処理システムに含まれる情報処理装置３００のハードウェア構成の一例について説明する。図２６は、本実施形態に係る情報処理装置３００のハードウェア構成例を示したブロック図である。なお、本実施形態に係る情報処理装置３００による情報処理は、ソフトウェアとハードウェアとの協働によって実現される。
【０１９０】  図２６に示すように、情報処理装置３００は、ＣＰＵ３５２と、ＲＯＭ３５４と、ＲＡＭ３５６と、ブリッジ３６２と、内部バス３５８および３６０と、インタフェース３６４と、入力装置３６６と、出力装置３６８と、ストレージ装置３７０と、ドライブ３７２と、接続ポート３７４と、通信装置３７６と、を備える。
【０１９１】  ＣＰＵ３５２は、演算処理装置および制御装置として機能し、ＲＯＭ３５４等に記憶された各種プログラムに従って、情報処理装置３００の動作全般を制御する。ＲＯＭ３５４は、ＣＰＵ３５２が使用するプログラム、演算パラメータを記憶し、ＲＡＭ３５６は、ＣＰＵ３５２の実行において使用するプログラムや、その実行において適宜変化するパラメータ等を一時記憶する。例えば、ＣＰＵ３５２は、判断部３０４等の機能を実行してもよい。
【０１９２】  これらＣＰＵ３５２、ＲＯＭ３５４およびＲＡＭ３５６は、ブリッジ３６２、内部バス３５８および３６０等により相互に接続されている。また、ＣＰＵ３５２、ＲＯＭ３５４およびＲＡＭ３５６は、インタフェース３６４を介して入力装置３６６、出力装置３６８、ストレージ装置３７０、ドライブ３７２、接続ポート３７４および通信装置３７６とも接続されている。
【０１９３】  入力装置３６６は、タッチパネル、キーボード、マウス、ボタン、マイクロフォン、スイッチおよびレバーなどの各種情報が入力される入力装置を含む。また、入力装置３６６は、入力された情報に基づいて入力信号を生成し、ＣＰＵ３５２に出力するための入力制御回路なども含む。
【０１９４】  出力装置３６８は、例えば、ＣＲＴ（Ｃａｔｈｏｄ  Ｒａｙ  Ｔｕｂｅ）表示装置、液晶表示装置、有機ＥＬ（Ｏｒｇａｎｉｃ  ＥｌｅｃｔｒｏＬｕｍｉｎｅｓｓｅｎｎｃｅ）表示装置などの表示装置、およびスピーカおよびヘッドフォンなどの音声出力装置を含む。
【０１９５】  ストレージ装置３７０は、情報処理装置３００の記憶部の一例として構成されるデータ格納用の装置である。ストレージ装置３７０は、記憶媒体、記憶媒体にデータを記憶する記憶装置、記憶媒体からデータを読み出す読み出し装置、および記憶されたデータを削除する削除装置を含んでもよい。
【０１９６】  ドライブ３７２は、記憶媒体用リードライタであり、情報処理装置３００に内蔵、または外付けされる。例えば、ドライブ３７２は、装着されている磁気ディスク、光ディスク、光磁気ディスク、または半導体メモリ等のリムーバブル記憶媒体に記憶されている情報を読み出し、ＲＡＭ３５６に出力する。また、ドライブ３７２は、リムーバブル記憶媒体に情報を書き込むことも可能である。
【０１９７】  接続ポート３７４は、例えば、ＵＳＢポート、イーサネットポート、ＩＥＥＥ８０６７１規格ポート、および光オーディオ端子等のような外部接続機器を接続するための接続ポートで構成された接続インタフェースである。例えば、接続ポート３７４は、出力部３０６の機能を実行してもよい。
【０１９８】  通信装置３７６は、例えば、通信網５に接続するための通信デバイス等で構成された通信インタフェースである。また、通信装置３７６は、有線によるケーブル通信を行うケーブル通信装置であってもよく、有線または無線ＬＡＮ対応通信装置であってもよい。例えば、通信装置３７６は、発電信号取得部３０２の機能を実行してもよい。
【０１９９】  また、情報処理装置３００に内蔵されるＣＰＵ、ＲＯＭおよびＲＡＭなどのハードウェアを上述した情報処理装置３００の各構成と同等の機能を発揮させるためのコンピュータプログラムも作成可能である。また、該コンピュータプログラムを記憶させた記憶媒体も提供される。
【０２００】  ＜＜４．まとめ＞＞  以上にて説明したように、本開示の一実施形態に係るモニタリング機器１００は、装着対象の状態または周囲の環境によって発電量が変化する発電装置を備える。これにより、本実施形態に係る情報処理装置、および情報処理システムは、電力を消費する各種センサを用いずに、モニタリング機器１００を装着した装着対象の状態または周囲の環境の少なくともいずれかの状態を判断することが可能である。
【０２０１】  これにより、本実施形態に係る情報処理装置、および情報処理システムは、時間的な制約および蓄電された電力の枯渇を考慮することなく、装着対象および周囲の環境等の状態をモニタリングすることが可能である。
【０２０２】  以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２０３】  例えば、上記実施形態では、装着対象が人間である場合を基本として説明したが、本技術はかかる例に限定されない。例えば、装着対象は、ペット、および家畜などの動物であってもよい。
【０２０４】  また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２０５】  なお、以下のような構成も本開示の技術的範囲に属する。（１）  少なくとも１つ以上の発電装置による発電に基づく発電信号を取得する発電信号取得部と、  前記発電信号に基づいて、前記発電装置の周囲の環境、または前記発電装置を装着した装着対象の少なくともいずれかの状態を判断する判断部と、を備える、情報処理装置。（２）  前記発電信号は、前記発電装置によって発電された電力が閾値を超えたか否かに関する情報を含む、前記（１）に記載の情報処理装置。（３）  前記発電信号は、前記発電装置によって発電された電力が閾値を超えた場合に生成され、  前記判断部は、前記発電信号の生成間隔に基づいて、前記発電装置の周囲の環境、または前記発電装置を装着した装着対象の少なくともいずれかの状態を判断する、前記（２）に記載の情報処理装置。（４）  前記判断部の判断に基づいて、前記装着対象への対応に関する情報を出力する出力部をさらに備える、前記（１）〜（３）のいずれか一項に記載の情報処理装置。（５）  少なくとも１つ以上の発電装置を備えるモニタリング機器と、  前記発電装置による発電に基づく発電信号を取得する発電信号取得部、前記発電信号に基づいて、前記モニタリング機器の周囲の環境、または前記モニタリング機器を装着した装着対象の少なくともいずれかの状態を判断する判断部、を備える情報処理装置と、を含む情報処理システム。（６）  前記モニタリング機器は、発電に基づく発電信号を個別に記憶する記憶装置をさらに備える、前記（５）に記載の情報処理システム。（７）  前記記憶装置は、時分割または割り込み処理によって、記憶領域を前記発電装置の各々にて共有する、前記（６）に記載の情報処理システム。（８）  前記モニタリング機器は、複数の発電装置を備え、  前記モニタリング機器は、発電に基づく発電信号を前記複数の発電装置ごとに記憶する記憶装置をさらに備える、前記（５）に記載の情報処理システム。（９）  前記記憶装置は、時分割または割り込み処理によって、記憶領域を前記複数の発電装置にて共有する、前記（８）に記載の情報処理システム。（１０）  前記発電装置は、発電した電力を少なくとも前記モニタリング機器に供給する、前記（５）〜（９）のいずれか一項に記載の情報処理システム。（１１）  前記情報処理システムは、前記発電装置によって発電された電力に基づいて駆動するスイッチ回路、前記スイッチ回路によって生成された発電信号を記憶する記憶装置、前記記憶装置に記憶された前記発電信号を出力する外部出力装置、前記発電信号を信号処理する演算装置を備える、前記（５）〜（１０）のいずれか一項に記載の情報処理システム。（１２）  前記発電装置は、振動発電装置、運動発電装置、太陽光発電装置、熱電変換発電装置、酵素発電装置、電波発電装置、および近傍電磁界発電装置を含む発電装置、または磁界共鳴もしくは電磁誘導による電力伝送装置のいずれかまたは２以上の組み合わせである、前記（５）〜（１１）のいずれか一項に記載の情報処理システム。（１３）  前記モニタリング機器は、前記発電装置によって発電された電力を蓄える蓄電装置をさらに備える、前記（５）〜（１２）のいずれか一項に記載の情報処理システム。（１４）  前記モニタリン���機器は、前記蓄電装置に蓄えられた電力を管理する管理部をさらに備え、  前記管理部は、前記発電信号を生成する閾値を超える電力が前記蓄電装置に蓄えられたか否かを判断する、前記（１３）に記載の情報処理システム。（１５）  前記モニタリング機器は、外部からの前記モニタリング機器への入力、および前記モニタリング機器から外部への出力を制御する制御部をさらに備える、前記（５）〜（１４）のいずれか一項に記載の情報処理システム。（１６）  少なくとも１つ以上の発電装置による発電に基づく発電信号を取得することと、  演算処理装置によって、前記発電信号に基づいて、前記発電装置の周囲の環境、または前記発電装置を装着した装着対象の少なくともいずれかの状態を判断することと、を備える、情報処理方法。（１７）  コンピュータを  少なくとも１つ以上の発電装置による発電に基づく発電信号を取得する発電信号取得部と、  前記発電信号に基づいて、前記発電装置の周囲の環境、または前記発電装置を装着した装着対象の少なくともいずれかの状態を判断する判断部と、として機能させる、プログラム。
【図１】
2016080183.tif 000003
【図２】
2016080183.tif 000004
【図３】
2016080183.tif 000005
【図４】
2016080183.tif 000006
【図５】
2016080183.tif 000007
【図６】
2016080183.tif 000008
【図７】
2016080183.tif 000009
【図８】
2016080183.tif 000010
【図９】
2016080183.tif 000011
【図１０】
2016080183.tif 000012
【図１１】
2016080183.tif 000013
【図１２】
2016080183.tif 000014
【図１３】
2016080183.tif 000015
【図１４】
2016080183.tif 000016
【図１５】
2016080183.tif 000017
【図１６】
2016080183.tif 000018
【図１７】
2016080183.tif 000019
【図１８】
2016080183.tif 000020
【図１９】
2016080183.tif 000021
【図２０】
2016080183.tif 000022
【図２１】
2016080183.tif 000023
【図２２】
2016080183.tif 000024
【図２３】
2016080183.tif 000025
【図２４】
2016080183.tif 000026
【図２５】
2016080183.tif 000027
【図２６】
2016080183.tif 000028
【国際調査報告】
2016080183.tif 000029
2016080183.tif 000030